(57)【特許請求の範囲】
【請求項１】
着脱可能な記録媒体を識別する記録媒体識別情報を記憶する記憶部と、
通信ネットワークに接続可能なネットワーク通信部と、
前記記録媒体に記憶された前記記録媒体識別情報を読み取る読取部と、
前記読取部が読み取った前記記録媒体識別情報を前記記憶部に書き込む記録媒体識別情報登録部と、
前記記録媒体を装着した通信端末装置と無線による通信を行うとともに、該通信端末装置から記録媒体識別情報を受信する無線通信部と、
前記記憶部から読み出した前記記録媒体識別情報と前記無線通信部が受信した前記記録媒体識別情報とが一致すると判定する場合は、少なくとも、前記通信端末装置からの信号を前記通信ネットワークに送信するように前記ネットワーク通信部を制御するか、あるいは、前記通信ネットワークからの前記通信端末装置宛の信号を前記通信端末装置に送信するように前記無線通信部を制御する、通信制御部と
を含む無線通信装置。
【請求項２】
事業者識別情報を記憶する登録事業者情報記憶部と、
前記無線通信部の設定パラメータを取得する事業者サービス情報取得部と、
前記無線通信部を設定する無線通信設定部と、
をさらに含み、
前記読取部は前記記録媒体から事業者識別情報を読み取り、
前記事業者サービス情報取得部は前記登録事業者情報記憶部に記憶された前記事業者識別情報と前記読取部からの前記事業者識別情報とを照合し照合結果に応じて、前記読取部からの前記事業者識別情報に応じた設定パラメータを、自無線通信装置内から取得し又は前記通信ネットワークに接続された外部のサーバーから前記ネットワーク通信部を介して取得し、
前記無線通信設定部は取得された前記設定パラメータに基づいて前記無線通信部を設定するとともに、前記読取部からの前記事業者識別情報を前記登録事業者情報記憶部に書き込む
請求項１に記載の無線通信装置。
【請求項３】
複数の前記無線通信部を含み、
前記登録事業者情報記憶部は複数の前記事業者識別情報の各々を前記無線通信部のいずれかに対応付けて記憶し、
前記ネットワーク通信部は前記読取部が読み取った前記事業者識別情報が前記登録事業者情報記憶部に記憶された事業者識別情報のいずれとも一致しない場合に前記設定パラメータを取得し、
前記無線通信設定部は取得した前記設定パラメータに基づいて前記無線通信部のいずれかを設定するとともに、前記登録事業者情報記憶部中から前記設定を行った無線通信部に対応付けられる前記事業者識別情報を削除して、前記読取部が読み取った前記事業者識別情報を当該無線通信部に対応付けて書き込む
請求項２に記載の無線通信装置。
【請求項４】
前記ネットワーク通信部は前記事業者コアネットワークに接続するためのアドレス情報である事業者コアネットワーク接続先情報を前記読取部からの前記事業者識別情報に応じて自無線通信装置内又は前記外部のサーバーより取得し、該事業者コアネットワーク接続先情報に従って前記事業者コアネットワークに接続する請求項２に記載の無線通信装置。
【請求項５】
前記事業者サービス情報取得部は前記設定パラメータと前記事業者コアネットワークに接続するためのアドレス情報である事業者コアネットワーク接続先情報とを前記読取部からの前記事業者識別情報に対応付けて取得するとともに該事業者識別情報を登録事業者情報記憶部に書き込み、
前記無線通信部は前記通信端末装置から事業者識別情報を受信し、
前記無線通信設定部は前記無線通信部からの前記事業者識別情報に対応する前記設定パラメータに基づいて前記無線通信部を設定し、
前記ネットワーク通信部は前記無線通信部からの前記事業者識別情報に対応する前記事業者コアネットワーク接続先情報に従って前記事業者コアネットワークに接続する
請求項２に記載の無線通信装置。
【請求項６】
前記読取部は自無線通信基地局への接続可否を判断するための情報である接続可否判断情報を前記記録媒体に書き込む請求項１に記載の無線通信装置。
【請求項７】
前記読取部は外部からの削除指示に応じて、前記記録媒体から前記記録媒体識別情報を読み取り、
前記制御部は前記読取部が読み取った前記記録媒体識別情報に一致する記録媒体識別情報を前記記憶部から削除する請求項１に記載の無線通信装置。
【請求項８】
前記制御部は外部からの削除指示に応じて前記記録媒体から前記接続可否判断情報を削除する請求項６に記載の無線通信装置。
【請求項９】
前記読取部は、前記着脱可能な記録媒体を接続する接続部を含み、該接続部に接続された前記記録媒体から前記記録媒体識別情報を読み取る請求項１に記載の無線通信装置。
【発明の詳細な説明】
【技術分野】
【０００１】
本発明は、無線通信装置に関する。
本願は、２００９年６月１５日に、日本に出願された特願２００９−１４２５７７号に基づき優先権を主張し、その内容をここに援用する。
【背景技術】
【０００２】
携帯電話の通信事業者（以下、事業者という）は、通信範囲が半径数百メートルから数キロメートル程度のマクロセル(Macro Cell)基地局と呼ばれる基地局を多数設置することにより、音声電話、テレビ電話、パケット通信等さまざまなサービスを提供している。この基地局は無線通信装置の範疇に属するものである。基地局は、設置場所、アンテナの指向性などを工夫し、できる限りサービスエリア全体をカバーするように設置されることが一般的ではあるが、マクロセル基地局のみでサービスエリアの全領域に十分なサービスを提供することは難しく、マクロセル基地局の境界付近や屋内等の電波の届きにくい弱電界の場所では、十分な通信速度が得られない、あるいは通話音声の品質が安定しない等の状態が生じる。そこで、半径数十メートル程度の通信範囲を有するフェムトセル(Femtocell)基地局と呼ばれる超小型無線基地局が提案されている。
フェムトセル基地局は従来の基地局とは異なり、インターネットプロトコル(Internet Protocol; IP)を利用したパケット通信網であるＩＰ網(Internet Protocol Network; IP Network)すなわちインターネットに十分な通信速度が確保できるＡＤＳＬ、ＣＡＴＶ、光接続回線等のブロードバンド回線を用いて接続し、ブロードバンド回線およびＩＰ網を介して事業者が設置しているコアネットワーク(Core Network)と接続する。特に個人向けのフェムトセル基地局は、同基地局の所有権ないし管理権を有する個人が契約しているブロードバンド回線を用いてコアネットワークと接続するなど、個人の負担によって運営及び維持されるため、第三者によるフェムトセル基地局の不正使用が問題となる。【０００３】
フェムトセル基地局を第三者が不正使用しないよう、特定の移動局装置（携帯電話端末）を登録しておき、登録された移動局装置のみがフェムトセル基地局を使用可能とすることが考えられる。フェムトセル基地局に登録できる移動局装置を限定することにより少数の端末でフェムトセル基地局を占有できるので、高速の通信を安定して確保することが可能である。特許文献１では、フェムトセル基地局の使用を許可する移動局装置を、ネットワークデバイスの１つに位置する排他権データベースに登録する方法として、インターネットを介して登録する方法、コールセンターに連絡して登録する方法や、ショートメッセージサービス(Short Message Service; SMS)を送信して登録する方法等が提案されている。
また、周辺で使用されているマクロセル基地局や、他のフェムトセル基地局と干渉しないよう、フェムトセル基地局のパラメータを設定する必要がある。特許文献２では、Ｗ−ＣＤＭＡ(Wideband Code Division Multiple Access)の基地局ＩＤ(Identifier、識別子)や周波数の設定方法が提案されている。
【先行技術文献】
【非特許文献】
【０００４】
【特許文献１】特開２００７−５３４２２７号公報
【特許文献２】特開２００６−２６１７２２号公報
【発明の概要】
【発明が解決しようとする課題】
【０００５】
しかしながら、特許文献１では移動局装置を識別するための情報をデータベースに入力する方法の詳細は示されていない。移動局装置を識別するための情報として移動局装置を識別する番号であるＩＭＳＩ(International Mobile Subscriber Identity)を用いることが考えられるが、ＩＭＳＩは数字の羅列であり入力の際にミスが発生するおそれがある。また、移動局装置を識別するための情報を登録したデータベースを予め用意しておき、電話番号等で当該情報を検索して使用することも考えられるが、データベースを生成する際に、やはり入力ミスが生じうる。また、パソコン(Personal Computer; PC)でパケット通信を行う際に用いる専用の携帯通信端末では、使用者は電話番号を意識せず使用する場合が多く、また、この端末には電話番号を表示する機能がないことが通常である。このため、使用者がこの端末の電話番号を把握していないことが考えられる。かかる場合、フェムトセル基地局に端末を登録するために、使用者は電話番号を確認する作業を行わなければならない。
また、フェムトセル基地局のパラメータ設定においても入力ミス（設定ミス）が発生し、正しく設定が行われないおそれがある。また、それに加えて、特許文献２の方法では、事業者は１社に固定されており、複数の事業者に対応することは出来ない。【０００６】
本発明は、このような事情に鑑みてなされたもので、その一つの目的は、移動局装置の識別情報などの登録情報を入力ミスなく登録できるフェムトセル基地局装置を提供することにある。また、別の目的は、複数の事業者に対応することのできるフェムトセル基地局装置を提供することにある。また、別の目的は、無権利者に不正登録および不正使用されないフェムトセル基地局装置を提供することにある。
【課題を解決するための手段】
【０００７】
［１］この発明は上述した課題を解決するためになされたもので、本発明の一態様による通信装置は、着脱可能な記録媒体を識別する記録媒体識別情報を記憶する記憶部と、通信ネットワークに接続されるネットワーク通信部と、前記記録媒体から前記記録媒体識別情報を読み取る読取部と、前記読取部が読み取った前記記録媒体識別情報を前記記憶部に書き込む記録媒体識別情報登録部と、前記記録媒体を装着した通信端末装置と無線による通信を行うとともに、該通信端末装置から記録媒体識別情報を受信する無線通信部と、前記記憶部から読み出した前記記録媒体識別情報と前記無線通信部が受信した前記記録媒体識別情報とを照合し照合結果に応じて、前記通信端末装置と前記通信ネットワークに接続された事業者コアネットワークとが前記無線通信部および前記ネットワーク通信部を経由して接続するよう制御する通信制御部とを含む。
ここで、着脱可能な記録媒体とは、ＵＩＭカード等、記録媒体識別情報を記憶する媒体をいい、単に情報を記憶する機能以外の機能を備えていてもよい。また、記録媒体識別情報とは前記記録媒体を識別する情報（例えばＵＩＭカードであればＩＭＳＩまたはＴＭＳＩまたはＩＣＣＩＤ等、ＵＩＭカード固有に設定される情報）をいい、記録媒体が通信端末装置に装着されると記録媒体識別情報は通信端末装置を識別する情報として用いることができる。【０００８】
［２］また、本発明の一態様による通信装置は、上述の通信装置であって、事業者識別情報を記憶する登録事業者情報記憶部と、前記無線通信部の設定パラメータを取得する事業者サービス情報取得部と、前記無線通信部を設定する無線通信設定部と、をさらに含み、前記読取部は前記記録媒体から事業者識別情報を読み取り、前記事業者サービス情報取得部は前記登録事業者情報記憶部に記憶された前記事業者識別情報と前記読取部からの前記事業者識別情報とを照合し照合結果に応じて、前記読取部からの前記事業者識別情報に応じた設定パラメータを、自無線通信装置内から取得し又は前記通信ネットワークに接続された外部のサーバーから前記ネットワーク通信部を介して取得し、前記無線通信設定部は取得された前記設定パラメータに基づいて前記無線通信部を設定するとともに、前記読取部からの前記事業者識別情報を前記登録事業者情報記憶部に書き込む。【０００９】
［３］また、本発明の一態様による通信装置は、上述の通信装置であって、複数の前記無線通信部を含み、前記登録事業者情報記憶部は複数の前記事業者識別情報の各々を前記無線通信部のいずれかに対応付けて記憶し、前記ネットワーク通信部は前記読取部が読み取った前記事業者識別情報が前記登録事業者情報記憶部に記憶された事業者識別情報のいずれとも一致しない場合に前記設定パラメータを取得し、前記無線通信設定部は取得した前記設定パラメータに基づいて前記無線通信部のいずれかを設定するとともに、前記登録事業者情報記憶部中から前記設定を行った無線通信部に対応付けられる前記事業者識別情報を削除して、前記読取部が読み取った前記事業者識別情報を当該無線通信部に対応付けて書き込む。【００１０】
［４］また、本発明の一態様による通信装置は、上述の通信装置であって、前記ネットワーク通信部は前記事業者コアネットワークに接続するためのアドレス情報である事業者コアネットワーク接続先情報を前記読取部からの前記事業者識別情報に応じて自無線通信装置内又は前記外部のサーバーより取得し、該事業者コアネットワーク接続先情報に従って前記事業者コアネットワークに接続する。【００１１】
［５］また、本発明の一態様による通信装置は、上述の通信装置であって、前記事業者サービス情報取得部は前記設定パラメータと前記事業者コアネットワークに接続するためのアドレス情報である事業者コアネットワーク接続先情報とを前記読取部からの前記事業者識別情報に対応付けて取得するとともに該事業者識別情報を登録事業者情報記憶部に書き込み、前記無線通信部は前記通信端末装置から事業者識別情報を受信し、前記無線通信設定部は前記無線通信部からの前記事業者識別情報に対応する前記設定パラメータに基づいて前記無線通信部を設定し、前記ネットワーク通信部は前記無線通信部からの前記事業者識別情報に対応する前記事業者コアネットワーク接続先情報に従って前記事業者コアネットワークに接続する。【００１２】
［６］また、本発明の一態様による通信装置は、上述の通信装置であって、前記読取部は自無線通信基地局への接続可否を判断するための情報である接続可否判断情報を前記記録媒体に書き込む。【００１３】
［７］また、本発明の一態様による通信装置は、上述の通信装置であって、前記読取部は外部からの削除指示に応じて、前記記録媒体から前記記録媒体識別情報を読み取り、前記制御部は前記読取部が読み取った前記記録媒体識別情報に一致する記録媒体識別情報を前記記憶部から削除する。【００１４】
［８］また、本発明の一態様による通信装置は、上述の通信装置であって、前記制御部は外部からの削除指示に応じて前記記録媒体から前記接続可否判断情報を削除する。【００１５】
［９］また、本発明の一態様による通信装置は、上述の通信装置であって、前記読取部は、前記着脱可能な記録媒体を接続する接続部を含み、該接続部に接続された前記記録媒体から前記記録媒体識別情報を読み取る。
【発明の効果】
【００１６】
この発明によれば、移動局装置の識別情報などの登録情報を入力ミスなく通信装置に登録できる。
【図面の簡単な説明】
【００１７】
【図１】本発明の第１の実施形態によるフェムトセル基地局装置１（超小型無線基地局装置）の構成を示す概略ブロック図である。
【図２】同実施形態における制御部１７の構成を示す概略構成図である。
【図３】同実施形態においてフェムトセル基地局装置１を使用する移動局装置とフェムトセル基地局装置１が接続するＩＰ網と事業者コアネットワークとの接続関係を示す概略図である。
【図４】同実施形態において移動局装置情報記憶部１４が記憶する移動局装置情報の構成を示すデータ構成図である。
【図５】同実施形態におけるフェムトセル基地局装置１の外形の概略を示す斜視図である。
【図６】同実施形態においてフェムトセル基地局装置１が移動局装置情報を登録する手順を示すフロー図である。
【図７】同実施形態において移動局装置から位置登録要求を受けた場合のフェムトセル基地局装置１の動作を示すフロー図である。
【図８】本発明の第２の実施形態によるフェムトセル基地局装置２の構成を示す概略ブロック図である。
【図９】同実施形態における制御部２７の構成を示す概略構成図である。
【図１０】同実施形態において登録事業者情報記憶部２８が記憶する登録事業者情報の構成を示すデータ構成図である。
【図１１】同実施形態においてフェムトセル基地局装置２が接続するＩＰ網と事業者のコアネットワークとの接続関係を示す概略図である。
【図１２】同実施形態においてフェムトセル基地局装置２が移動局装置情報および登録事業者情報を登録する手順を示すフロー図である。
【図１３】同実施形態においてフェムトセル基地局装置２が移動局装置情報および登録事業者情報を登録する手順を示すフロー図である。
【図１４】本発明の第３の実施形態によるフェムトセル基地局装置３の構成を示す概略ブロック図である。
【図１５】同実施形態において登録事業者情報記憶部３８が記憶する登録事業者情報の構成を示すデータ構成図である。
【図１６】同実施形態においてフェムトセル基地局装置３が移動局装置情報および登録事業者情報を登録する手順を示すフロー図である。
【図１７】同実施形態においてフェムトセル基地局装置３が移動局装置情報および登録事業者情報を登録する手順を示すフロー図である。
【図１８】同実施形態において移動局装置から位置登録要求を受けた場合のフェムトセル基地局装置３の動作を示すフロー図である。
【図１９】本発明の第４の実施形態によるフェムトセル基地局装置４の構成を示す概略ブロック図である。
【発明を実施するための形態】
【００１８】
＜第１の実施形態＞
以下、図面を参照して、本発明の実施の形態について説明する。
図１は、本発明の第１の実施形態による無線通信装置、特にフェムトセル基地局装置１（超小型無線基地局装置）の構成を示す概略ブロック図である。同図において、フェムトセル基地局装置１は、ＬＴＥフェムトセル通信部１１とＩＰ通信部１２とカード読取部１３と移動局装置情報記憶部１４と操作入力部１５と表示部１６と制御部１７と事業者識別情報記憶部１８とを含んで構成される。
ＬＴＥフェムトセル通信部１１は携帯電話機（移動局装置）と無線通信を行う。ＬＴＥフェムトセル通信部１１は、標準化団体３ＧＰＰ(Third Generation Partnership Project)が規定するＬＴＥ（Long Term Evolution、ロング・ターム・エボリューション）の規格に従い、下り回線(Downlink)はＭＩＭＯ−ＯＦＤＭ(Multiple Input Multiple Output-Orthogonal Frequency Division Multiplexing)方式を用いて通信を行い、上り回線(Uplink)はＭＩＭＯ  ＳＣ−ＦＤＭＡ(Multiple Input Multiple Output Single Carrier-Frequency Division Multiple Access)を用いて通信を行う。ＩＰ通信部１２（ネットワーク通信部）はＩＰ網（通信ネットワーク）に接続して通信を行う。カード読取部１３はＵＩＭカード(User Identity Module Card)から移動局装置情報を読み出す。移動局装置情報中には後述するＩＭＳＩが含まれ、ＩＭＳＩはＵＩＭカードを識別する記録媒体識別情報である。つまりカード読取部１３（読取部）は、ＵＩＭカード（着脱可能な記録媒体）から移動局装置情報中のＩＭＳＩ（記録媒体識別情報）を読み取る。移動局装置情報記憶部１４はカード読取部１３が読み出した移動局装置情報を記憶する。つまり移動局装置情報記憶部１４（記憶部）は記録媒体を識別する記録媒体識別情報を記憶する。操作入力部１５はユーザーの操作を受け付ける。操作入力部１５は、移動局装置情報の登録を指示する操作を受け付けると制御部１７に登録指示を出力し、移動局装置情報の削除を指示する操作を受け付けると制御部１７に削除指示を出力し、移動局装置情報の選択変更を指示する操作を受け付けると制御部１７に変更指示を出力する。表示部１６は警告等のメッセージを表示する。制御部１７は各部の制御を行う。事業者識別情報記憶部１８は、後述する事業者を特定する情報を、１事業者について予め記憶している。
【００１９】
図２は制御部１７の構成を示す概略構成図である。
同図において、制御部１７は、移動局装置情報登録部１７１（記録媒体識別情報登録部）と通信制御部１７２とを含んで構成される。
移動局装置情報登録部１７１は、移動局装置情報記憶部１４への移動局装置情報の書き込みや削除や更新を行う。通信制御部１７２は、移動局装置が自フェムトセル基地局装置１を介してＩＰ網に接続された事業者コアネットワークと通信を行うよう、ＬＴＥフェムトセル通信部１１及びＩＰ通信部１２を制御する。
【００２０】
図３は、フェムトセル基地局装置１を使用する移動局装置とフェムトセル基地局装置１が接続するＩＰ網と事業者コアネットワークとの接続関係を示す概略図である。同図において、ＩＰ網６０１はフェムトセル基地局装置１と複数の事業者コアネットワーク（事業者Ａコアネットワーク６０３及び事業者Ｂコアネットワーク６０６）とに接続されている。移動局装置６０９は無線通信にてフェムトセル基地局装置１と接続する。事業者Ａコアネットワークと事業者Ｂコアネットワークとは、それぞれ無線通信事業者Ａと無線通信事業者Ｂとが所有するコアネットワークであり、ＬＴＥによる携帯電話サービスを提供する。事業者Ａコアネットワーク６０３には事業者Ａサーバー６０４と事業者Ａマクロセル基地局装置６０５とが接続されている。事業者Ｂコアネットワーク６０６には事業者Ｂサーバー６０７と事業者Ｂマクロセル基地局装置６０８とが接続されている。フェムトセル基地局装置１は事業者Ａに対応するフェムトセル基地局装置であり、予め記憶しているＩＰアドレスを用いて事業者Ａサーバー６０４を介して事業者Ａコアネットワーク６０３に接続する。事業者Ａマクロセル基地局装置６０５は、フェムトセル基地局装置１を使用できない場合に移動局装置６０９が接続する基地局装置である。事業者Ｂマクロセル基地局装置６０８は、事業者Ｂに対応する移動局装置が接続する基地局装置である。移動局装置６０９は事業者Ａに対応する移動局装置である。また、移動局装置６０９はフェムトセル基地局装置１の使用を許可された移動局装置である。移動局装置６０９はフェムトセル基地局装置１とＩＰ網６０１と事業者Ａサーバー６０４とを介して事業者Ａコアネットワーク６０３に接続する。
【００２１】
図４は、移動局装置情報記憶部１４が記憶する移動局装置情報の構成を示すデータ構成図である。同図において、移動局装置情報はＭＣＣ(Mobile Country Code)とＭＮＣ(Mobile Network Code)とＭＳＩＮ(Mobile Subscriber Identification Number)とＴＭＳＩ(Temporary Mobile Subscriber Identity)とＩＣＣＩＤ(Integrated Circuit Card Identification)とＭＳＩＳＤＮ(Mobile Subscriber ISDN Number)とを含んで構成される。移動局装置情報記憶部１４は複数の移動局装置情報を表形式のデータとして記憶し、各行のデータ（図では記載省略）が１個の移動局装置情報に対応する。
ＭＣＣは国の識別番号、ＭＮＣは事業者の識別番号である。ＭＣＣとＭＮＣとを用いることによって事業者を識別することができ、どの国のどの事業者が発行したＵＩＭカードか判断することができる。事業者識別情報記憶部１８は、フェムトセル基地局装置１が対応する事業者のＭＣＣ及びＭＮＣを記憶している。制御部１７は、事業者識別情報記憶部１８が記憶するＭＣＣ及びＭＮＣが、ＵＩＭカードに記録されたＭＣＣ及びＭＮＣと同じか否かによって、登録を行おうとしているＵＩＭカードを挿入して使用する移動局装置が自フェムトセル基地局装置を使用できるか否かを判断する。ＭＳＩＮは事業者が加入者に対して付す識別番号である。ＭＣＣとＭＮＣとＭＳＩＮをこの順に結合した番号はＩＭＳＩ(International Mobile Subscriber Identity)と呼ばれ、ＵＩＭカードごとに固有の番号、すなわちＵＩＭカードを識別する番号である。また、ＩＭＳＩはＵＩＭカードが挿入された移動局装置を識別する番号として用いられる。ＴＭＳＩ(Temporary Mobile Subscriber Identity)はＩＭＳＩの代わりにネットワークから発行される仮の識別番号である。移動局装置情報記憶部１４が記憶する各移動局装置情報は、ＩＭＳＩまたはＴＭＳＩを主キーとして検索できる。
制御部１７はＩＭＳＩを主キーとして移動局装置情報を検索して移動局装置情報が登録済みか否かを判断する。ＩＭＳＩの代わりにＴＭＳＩを移動局装置から受信した場合は、制御部１７はＴＭＳＩを主キーとして移動局装置情報を検索する。コアネットワークに接続された基地局においてＴＭＳＩの更新処理が行われた場合、事業者サーバーからＩＰ網を介してフェムトセル基地局装置１にＴＭＳＩが通知され、制御部１７が、移動局装置情報記憶部１４に記憶されるＴＭＳＩを、通知された内容に更新する。ＩＣＣＩＤはＵＩＭカードを識別するためにカードごとに設定される個別の識別番号である。ＭＳＩＳＤＮは電話番号である。
【００２２】
図５は、フェムトセル基地局装置１の外形の概略を示す斜視図である。同図において、フェムトセル基地局装置１はアンテナ５０１および５０２と表示パネル５０３とＵＩＭカードスロット（UIM Card Slot、接続部）５０４と登録開始ボタン５０５と登録削除ボタン５０６と選択ボタン５０７とを備える。
アンテナ５０１および５０２は移動局装置と無線通信を行うためのアンテナである。ＬＴＥではフェムトセル基地局装置１のアンテナ数として１本または２本または４本が規定されている。図示のフェムトセル基地局装置１は２本のアンテナを備えており、受信アンテナ2本を備えた移動局装置との間で、２×２ＭＩＭＯ（Multiple Input Multiple Output、多入力多出力）にて通信を行う。表示パネル５０３は、警告等のメッセージを表示するパネルである。なお、フェムトセル基地局装置１はスピーカーをさらに備え、メッセージの表示に加えて音声やアラーム音による通知を行うようにしてもよい。ＵＩＭカードスロット５０４（接続部）はＵＩＭカードの挿入部である。ＵＩＭカードが挿入されるとＵＩＭカードスロット５０４はＵＩＭカードに接続し、カード読取部１３はＵＩＭスロット５０４を介してＵＩＭカードからデータを読み取る。
登録開始ボタン５０５は移動局装置情報の登録を指示するための押ボタンである。登録開始ボタン５０５が押下されると、図１の操作入力部１５は登録指示を制御部１７に出力する。登録削除ボタン５０６は移動局装置情報の削除を指示するための押ボタンである。登録削除ボタン５０６が押下されると、図１の操作入力部１５は削除指示を制御部１７に出力する。選択ボタン５０７は削除する移動局装置情報を選択するための押ボタンである。選択ボタン５０７が押されると、図１の操作入力部１５は選択変更指示を制御部１７に出力する。
【００２３】
移動局装置が通信を行うためには、移動局装置にＵＩＭカードが挿入されていることが必要である。移動局装置では、ＵＩＭカードを不正使用して通信が行われないように、電池を取り外さないとＵＩＭカードが取り出せない構造となっていることが一般的である。これに対してフェムトセル基地局装置が通信を行うために、ＵＩＭカードが挿入されている必要はない。したがってフェムトセル基地局装置の場合は、移動局装置の場合のような不正利用を考慮する必要はないのでＵＩＭカードを取り出せない構造とする必要はなく、むしろ起動中でもＵＩＭカードを着脱可能とすることが望ましい。そこで、フェムトセル基地局装置１の正面にＵＩＭカードスロット５０４を設けることにより操作性を向上させることができる。また、登録開始ボタン５０５も正面部に設けることにより操作性を向上させることができる。
移動局装置から取り出されたＵＩＭカードがフェムトセル基地局装置１のＵＩＭカードスロット５０４に挿入され、登録開始ボタン５０５が押下されると、フェムトセル基地局装置１は接続を許可するユーザーの登録処理を開始し、制御部１７は移動局装置を特定するための情報を移動局装置情報記憶部１４に書き込む。移動局装置を特定する情報はＵＩＭカードスロット５０４に挿入されたＵＩＭカードから読み取る。
【００２４】
図６は、フェムトセル基地局装置１が移動局装置情報を登録する手順を示すフロー図である。登録開始ボタン５０５が押下されると操作入力部１５から制御部１７に登録指示が入力され、制御部１７は移動局装置情報の登録を開始する。ステップＳａ１において、カード読取部１３はＵＩＭカードが挿入されているか否かを判断する。ＵＩＭカードが挿入されていない場合（ステップＳａ１：ＮＯ）、ステップＳａ２に進み、ＵＩＭカードが挿入されている場合（ステップＳａ１：ＹＥＳ）、ステップＳａ３に進む。ステップＳａ２において、表示部１６はカードが挿入されていないことを示す警告を表示し、その後フェムトセル基地局装置１は登録処理を終了する。
ステップＳａ３において、制御部１７はＵＩＭカードに記録されている移動局装置情報が、移動局装置情報記憶部１４に登録済みか否かを判断する。移動局装置情報が登録済みの場合（ステップＳａ３：ＹＥＳ）、ステップＳａ４に進み、移動局装置情報が未登録の場合（ステップＳａ３：ＮＯ）ステップＳａ５に進む。ステップＳａ４において表示部１６は移動局装置情報が登録済みである旨を表示し、その後フェムトセル基地局装置１は登録処理を終了する。
ステップＳａ５において、制御部１７は、ＵＩＭカードに記録されているＭＣＣ及びＭＮＣが示す事業者が、自フェムトセル基地局装置１が対応する事業者と同じか否かを判断する。事業者が異なる場合（ステップＳａ５：ＮＯ）、ステップＳａ６に進み、事業者が同じ場合（ステップＳａ５：ＹＥＳ）、ステップＳａ７に進む。ステップＳａ６において、表示部１６は自フェムトセル基地局を使用できない旨を示す警告を表示し、その後フェムトセル基地局装置１は登録処理を終了する。
【００２５】
ステップＳａ７において、制御部１７はカード読取部１３から移動局装置情報を読み出して、移動局装置情報記憶部１４に書き込む。つまり、制御部１７（記録媒体識別情報登録部）はカード読取部１３（読取部）が読み取った移動局装置情報中のＩＭＳＩ（記録媒体識別情報）やＴＭＳＩやＩＣＣＩＤやＭＳＩＳＤＮを移動局装置情報記憶部１４（記憶部）に書き込む。ステップＳａ８において、表示部１６は登録が完了した旨を表示し、その後フェムトセル基地局装置１は登録処理を終了する。
なお、登録が完了した際に、表示部１６が登録された携帯電話番号（ＭＳＩＳＤＮ）を表示するようにしてもよい。これにより、操作者は登録が正常に行われたことを確認することができる。
なお、移動局装置情報を登録する際に、カード読取部１３（読取部）が自フェムトセル基地局装置１（自無線通信装置）への接続可否を判断するための情報である接続可否判断情報をＵＩＭカード（記録媒体）に書き込むようにしてもよい。例えば、フェムトセル基地局装置１は、自フェムトセル基地局が使用する基地局ＩＤや周波数や設置場所等の情報をＵＩＭカードに書き込む。ＵＩＭカードを挿入された移動局装置は、位置登録要求を行う際にＵＩＭカードに記録されている情報を読み出して、まずフェムトセル基地局装置１に対して位置登録要求を行う。これによって、移動局装置が複数の基地局の通信圏内にある場合でも、どの基地局に接続可能かを順次調査する必要が無くなり、位置登録が速やかに行われることが期待できる。
【００２６】
移動局装置情報の登録処理が終了すると、ＵＩＭカードスロット５０４からＵＩＭカードが抜かれ、移動局装置に挿入される。ＵＩＭカードを挿入された移動局装置は、電源が入れられると、通信可能な基地局に対して位置登録要求を送信する。フェムトセル基地局装置１の電波を安定して受信できる環境にあれば、移動局装置はフェムトセル基地局装置１に位置登録される。移動局装置から位置登録の要求があると、フェムトセル基地局装置１はその移動局装置から受信する情報と移動局装置情報記憶部１４に記憶されている情報とが一致するか否かを確認する。すなわち、フェムトセル基地局装置１は移動局装置からＩＭＳＩを受信し、移動局装置情報記憶部１４に記憶されているＩＭＳＩと一致するか否かを確認する。移動局装置がＴＭＳIを送信する場合は、フェムトセル基地局装置１は移動局装置情報記憶部１４に記憶されているＴＭＳＩと一致するか否かを確認する。あるいは、移動局装置がＩＣＣＩＤをフェムトセル基地局装置１に通知する機能を備えていれば、移動局装置から受信するＩＣＣＩＤと移動局装置情報記憶部１４に記憶されているＩＣＣＩＤとが一致するかどうか確認するようにしてもよい。一致すればフェムトセルはその移動局装置からの位置登録を許可する。
【００２７】
図７は、移動局装置から位置登録要求を受けた場合のフェムトセル基地局装置１の動作を示すフロー図である。ＬＴＥフェムトセル通信部１１が移動局装置からの位置登録要求を受信すると、フェムトセル基地局装置１は位置登録処理を開始する。
ステップＳｂ１において、ＬＴＥフェムトセル通信部１１は移動局装置から移動局装置情報を受信する。つまり、ＬＴＥフェムトセル通信部１１（無線通信部）は、ＵＩＭカード（記録媒体）を装着した移動局装置（通信端末装置）と無線による通信を行うとともに、該移動局装置（通信端末装置）から移動局装置情報中のＩＭＳＩ（記録媒体識別情報）を受信する。ステップＳｂ２において、制御部１７はＬＴＥフェムトセル通信部１１が受信した移動局装置情報と一致する移動局装置情報が移動局装置情報記憶部１４に記憶されているか否かを判断する。一致する移動局装置情報がある場合（ステップＳｂ２：ＹＥＳ）、ステップＳｂ３に進む。一致する移動局装置情報が無い場合（ステップＳｂ２：ＮＯ）、ステップＳｂ４に進む。
【００２８】
ステップＳｂ３において、ＩＰ通信部１２は事業者サーバーを介して事業者コアネットワークに位置登録要求を送信し、事業者コアネットワークに接続されたホームロケーションレジスタ(Home Location Register; HLR)が位置登録を行う。以上で、フェムトセル基地局装置１は位置登録処理を終了する。ステップＳｂ４において、制御部１７は位置登録を拒否し、すなわち位置登録を行わず、その後フェムトセル基地局装置１は位置登録処理を終了する。位置登録が行われた移動局装置はフェムトセル基地局装置１を介して事業者コアネットワークに接続することができ、音声電話やテレビ電話やパケット通信などを行うことができる。以上のように、フェムトセル基地局装置１の制御部１７は、移動局装置情報記憶部１４から読み出したＩＭＳＩとＬＴＥフェムトセル通信部１１が受信したＩＭＳＩとを照合し照合結果に応じて、移動局装置とＩＰ網に接続された事業者コアネットワークとがＬＴＥフェムトセル通信部１１およびＩＰ通信部１２を経由して接続するよう制御する。すなわち、制御部１７（通信制御部）は、移動局装置情報記憶部１４（記憶部）から読み出したＩＭＳＩ（記録媒体識別情報）とＬＴＥフェムトセル通信部１１（無線通信部）が受信したＩＭＳＩ（記録媒体識別情報）とが一致すると判定する場合は、ＬＴＥフェムトセル通信部１１（無線通信部）の受信する移動局装置（通信端末装置）からの信号をＩＰ網（通信ネットワーク）に送信するようにＩＰ通信部１２（ネットワーク通信部）を制御し、ＩＰ網（通信ネットワーク）からの移動局装置（通信端末装置）宛の信号を当該移動局装置（通信端末装置）に送信するようにＬＴＥフェムトセル通信部１１（無線通信部）を制御する。
一方、位置登録を拒否された移動局装置はフェムトセル基地局装置１を使用できないので、マクロセル基地局に接続して通信を行う。
【００２９】
なお、フェムトセル基地局装置１への登録が正常に行われたかどうかをユーザーが確認できるように、登録された移動局装置が初めてフェムトセル基地局装置１に位置登録した場合に、登録が正常に行われたことを示すメールをフェムトセル基地局装置１が移動局装置に送信するようにしてもよい。この場合、フェムトセル基地局装置１はメール送信部を具備する。位置登録が行われた際、メール送信部は移動局装置情報記憶部１４に登録された移動局装置情報中に新規登録された移動局装置情報がないか確認する。新規登録された移動局装置情報がある場合は、位置登録された移動局装置の情報が移動局装置情報記憶部１４に新規に登録された移動局装置情報か否かを判断する。新規登録された移動局装置情報である場合は、メール送信部はショートメッセージサービスあるいは事業者が提供しているメール機能を用いて登録が正常に行われたことをユーザーに通知する。なお、フェムトセル基地局装置１の表示部１６に移動局装置情報記憶部１４に記憶されている移動局装置情報を表示するようにしてもよい。これにより、ユーザーは登録が正常に行われたことを確認できる。
【００３０】
また、フェムトセル基地局装置に登録できる移動局装置の数が制限されている場合など、移動局装置の登録を削除する必要がある場合が考えられる。フェムトセル基地局装置１は、ユーザーの操作に応じて移動局装置情報を削除することにより、移動局装置の登録を削除する。ユーザーが登録削除ボタン５０６を（図５）を押下することにより操作入力部１５から削除指示が入力されると、制御部１７はユーザーによって選択された移動局装置情報を削除する。まず、制御部１７は移動局装置情報記憶部１４に記憶された移動局装置情報の中から、最初に記憶されている移動局装置情報を選択する。表示部１６は、選択された移動局装置情報のうちのＭＳＩＳＤＮ（ユーザーが認識可能な情報）を表示する。操作入力部１５から選択変更指示が入力されると、制御部１７は、次に記憶されている移動局装置情報（最後の移動局装置情報を選択している場合は最初に記憶されている移動局装置情報）を選択し、表示部１６が選択された移動局装置情報のうちのＭＳＩＳＤＮを表示する。ユーザーが登録削除ボタン５０６を（図５）を再度押下することにより操作入力部１５から削除指示が再度入力されると、制御部１７は、移動局装置情報記憶部１４から選択中の移動局装置情報を削除する。
【００３１】
なお、削除したいユーザーのＵＩＭカードを挿入して登録削除ボタンを押すことで該ＵＩＭカードが示す情報を移動局装置情報記憶部１４から削除するようにしてもよい。この場合、カード読取部（読取部）はユーザーの削除指示（外部からの削除指示）に応じて、ＵＩＭカード（記録媒体）からＩＭＳＩ（記録媒体識別情報）を含む移動局装置識別情報を読み取る。制御部１７は、カード読取部（読取部）が読み取ったＩＭＳＩ（記録媒体識別情報）に一致するＩＭＳＩ（記録媒体識別情報）を含む移動局装置識別情報を移動局装置情報記憶部１４（記憶部）から削除する。併せて、移動局装置情報を登録する際に接続可否判断情報をＵＩＭカードに書き込んだ場合は、制御部１７はユーザーの削除指示（外部からの削除指示）に応じてＵＩＭカード（記録媒体）から接続可否判断情報を削除する。ＵＩＭカードを挿入して移動局装置情報を削除することにより、他のユーザーの情報を誤って削除することを防止できる。
なお、不特定多数のユーザーが一時的にフェムトセル基地局装置１を利用する小規模のオフィスや店舗等においては、移動局装置ごとに最後にフェムトセル基地局装置１にアクセスした時刻を移動局装置情報記憶部１４が記憶しておき、該時刻が最も古い移動局装置情報を制御部１７がユーザーの指示なしに削除するようにしてもよい。
ＵＩＭカードへの接続可否判断情報の書き込み及び移動局装置情報記憶部１４からの移動局装置識別情報の削除については、実施形態２以降についても同様である。
【００３２】
以上のように、移動局装置からＵＩＭカードを取り出し、フェムトセル基地局装置１のＵＩＭカードスロットに挿入して移動局装置情報を登録することにより、入力ミスにより誤った登録が行われることを防止できる。また、移動局装置情報を登録するためにはフェムトセル基地局装置１にＵＩＭカードを挿入する必要があるので、無線通信で登録を行う場合と異なり、無権利者が遠隔操作によって不正登録を行い、フェムトセル基地局装置１を不正利用することを防止できる。また、フェムトセル基地局装置に登録するための機能を移動局装置が備える必要がないので、ＵＳＢ(Universal Serial Bus)端子等でパソコンに接続し、パケット通信専用として利用される移動局装置等、フェムトセル基地局装置に接続するための通信機能等を備えない移動局装置でも簡単に登録することができる。
【００３３】
＜第２の実施形態＞
次に、本発明の第２の実施形態について説明する。図８は、本発明の第２の実施形態によるフェムトセル基地局装置２の構成を示す概略ブロック図である。フェムトセル基地局装置２の外形は、第１の実施形態の図５に示す斜視図のものと同じである。図８においてフェムトセル基地局装置２は、ＬＴＥフェムトセル通信部２１とＩＰ通信部２２とカード読取部２３と移動局装置情報記憶部２４と操作入力部２５と表示部２６と制御部２７と登録事業者情報記憶部２８と設定情報記憶部２９とを含んで構成される。
ＩＰ通信部２２とカード読取部２３と移動局装置情報記憶部２４と操作入力部２５と表示部２６とは、それぞれ図１のＩＰ通信部１２とカード読取部１３と移動局装置情報記憶部１４と操作入力部１５と表示部１６とに対応する。これらについては説明を省略する。
ＬＴＥフェムトセル通信部２１は図１のＬＴＥフェムトセル通信部１１に対応する。ただし、ＬＴＥフェムトセル通信部２１は、使用する無線通信の周波数帯や制御チャネルの内容を設定及び変更可能な点でＬＴＥフェムトセル通信部１１と異なる。フェムトセル基地局装置２が未使用の状態ではＬＴＥフェムトセル通信部２１は同期チャネル、報知情報等も含めて全く送信を行わない。制御部２７は各部の制御を行う。登録事業者情報記憶部２８は、１事業者分の登録事業者情報を記憶する。登録事業者情報には後述するように事業者を識別する情報であるＭＣＣ及びＭＮＣが含まれる。つまり、登録事業者情報記憶部２８（事業者識別情報記憶部）は、ＭＣＣ及びＭＮＣ(事業者識別情報)を記憶する。フェムトセル基地局装置２が未使用の状態では登録事業者情報記憶部２８は初期状態であり、登録事業者情報を記憶していない。登録事業者情報については後述する。設定情報記憶部２９はＬＴＥフェムトセル通信部２１の設定パラメータを記憶する。
【００３４】
図９は制御部２７の構成を示す概略構成図である。
同図において、制御部２７は、移動局装置情報登録部２７１（記録媒体識別情報登録部）と通信制御部２７２と事業者サービス情報取得部２７３と無線通信設定部２７４とを含んで構成される。
移動局装置情報登録部２７１と通信制御部２７２とは、それぞれ図２の移動局装置情報登録部１７１と通信制御部１７２に対応しており、その説明を省略する。事業者サービス情報取得部２７３は、後述する事業者サービス情報サーバーまたは事業者サービス情報記憶部から登録事業者情報を取得して登録事業者情報記憶部２８に記憶する。また、事業者サービス情報取得部２７３は、登録事業者情報に従って自フェムトセル基地局装置２を運用できるか否かを判断する。無線通信設定部２７４は、ＬＴＥフェムトセル通信部２１の設定を行う。
【００３５】
図１０は、登録事業者情報記憶部２８が記憶する登録事業者情報の構成を示すデータ構成図である。登録事業者情報は、フェムトセル基地局装置２が使用可能な周波数や基地局ＩＤ等を示す情報である。ここで、基地局ＩＤは移動局装置が基地局を特定するために用いる識別情報である。各事業者が１個の登録事業者情報を定めており、登録事業者情報記憶部２８は１個の登録事業者情報を記憶する。
同図において、事業者名は当該登録事業者情報を定めた事業者の名称である。ＭＣＣおよびＭＮＣは図４のものと同様である。ＩＰアドレスは当該事業者のサーバーに接続するためのＩＰアドレスである。フェムトセル基地局装置２はこのＩＰアドレスを用いて事業者サーバーに接続することにより、事業者サーバーを介して事業者コアネットワークに接続することができる。基地局ＩＤはフェムトセル基地局装置２が使用可能な基地局ＩＤである。周波数情報はフェムトセル基地局装置２が使用可能な周波数の情報である。チャネル情報は報知チャネルの構成や、報知チャネルで報知する情報、パケット通信を行う場合に使用可能なコーディングレート、パケットサイズ等、フェムトセル基地局が使用可能な通信の形式に関する情報である。後述するように、基地局ＩＤと周波数情報とチャネル情報との中からＬＴＥフェムトセル通信部２１の設定パラメータが決定される。つまり、基地局ＩＤと周波数情報とチャネル情報とはＬＴＥフェムトセル通信部２１の設定パラメータを含む情報である。
なお、登録事業者情報には、フェムトセル基地局装置２が使用可能なサービスやパケット通信速度の情報（ベアラ情報）等、上記以外の情報が含まれるようにし、登録事業者情報記憶部２８がこれらの情報を含む登録事業者情報を記憶するようにしてもよい。
【００３６】
図１１は、フェムトセル基地局装置２が接続するＩＰ網と事業者のコアネットワークとの接続関係を示す概略図である。同図において、ＩＰ網６０１はフェムトセル基地局装置２と複数の事業者コアネットワーク（事業者Ａコアネットワーク６０３及び事業者Ｂコアネットワーク６０６）と事業者サービス情報サーバー６０２とに接続されている。
事業者Ａコアネットワークと事業者Ｂコアネットワークとは、それぞれ無線通信事業者Ａと無線通信事業者Ｂとが所有するコアネットワークであり、ＬＴＥによる携帯電話サービスを提供する。事業者Ａコアネットワーク６０３には事業者Ａサーバー６０４と事業者Ａマクロセル基地局装置６０５とが接続されている。事業者Ｂコアネットワーク６０６には事業者Ｂサーバー６０７と事業者Ｂマクロセル基地局装置６０８とが接続されている。フェムトセル基地局装置２は登録事業者情報中のＩＰアドレスを用いて事業者サーバー（事業者Ａサーバー６０４または事業者Ｂサーバー６０７）を介して事業者コアネットワークに接続する。
事業者サービス情報サーバー６０２は事業者サービス情報を記憶している。事業者サービス情報は各事業者の登録事業者情報を各行に持つ表形式のデータである。事業者サービス情報はＭＣＣおよびＭＮＣを主キーとして検索することができる。事業者サービス情報サーバー６０２が保持する事業者サービス情報は、事業者又はフェムトセル基地局装置の販売会社又は公共機関などによって最新の情報に更新される。フェムトセル基地局装置２は事業者サービス情報サーバー６０２のＩＰアドレスを予め記憶しており、ＩＰ網６０１を介して事業者サービス情報サーバー６０２と通信することができる。また、ＩＰ通信部２２が事業者サービス情報サーバー６０２から受信した登録事業者情報に従って自フェムトセル基地局装置２を運用できるか否かを、制御部２７が判断する。例えば、登録事業者情報に設定されているフェムトセルで使用可能な周波数に、自フェムトセル基地局装置２に設定可能な周波数が含まれない場合、制御部２７は、当該登録事業者情報では自フェムトセル基地局装置２を運用不可能と判断する。
事業者Ａマクロセル基地局装置６０５及び事業者Ｂマクロセル基地局装置Ｂは事業者が設置している基地局装置であり、フェムトセル基地局装置２を使用できない場合に移動局装置は契約している事業者が設置しているマクロセル基地局に接続する。
【００３７】
フェムトセル基地局装置２が未使用の状態では、登録事業者情報記憶部２８（図８）は初期状態であり、登録事業者情報は記憶されていない。また、ＬＴＥフェムトセル通信部２１も初期状態であり、同期チャネルや報知情報等を含め何も送信しない。フェムトセル基地局装置２の使用を開始するためには、移動局装置からＵＩＭカードを取り出してフェムトセル基地局装置２のＵＩＭカードスロット（図５）に挿入し、登録開始ボタンを押す。登録開始ボタンが押されると、制御部２７はＵＩＭカードが挿入されているかどうかを確認する。ＵＩＭカードが挿入されていなければ表示部２６はＵＩＭカードが挿入されていないことを示すメッセージを表示する。なお、フェムトセル基地局装置２はスピーカーを具備し、ＵＩＭカードが挿入されていないことを示す音声メッセージやビープ音を鳴らすようにしてもよい。ＵＩＭカードが挿入されていれば、ＵＩＭカードから移動局装置情報を読み取る。移動局装置情報中のＩＭＳＩにはＵＩＭカードを発行した事業者のＭＣＣとＭＮＣとＵＩＭカードごとに割り当てられた識別番号ＭＳＩＮとが含まれている。制御部２７は、このＭＣＣ及びＭＮＣが登録事業者情報記憶部２８に記憶されているＭＣＣ及びＭＮＣと一致するかを判断する。初期状態では登録事業者情報は何も保存されていないので、未登録と判断される。登録事業者情報が未登録の場合、制御部２７はＩＰ通信部２２及びＩＰ網を介して事業者サービス情報サーバー６０２にＭＣＣとＭＮＣとを送信して、送信したＭＣＣとＭＮＣとに対応する事業者の登録事業者情報を取得する。なお、フェムトセル基地局装置２が事業者サービス情報記憶部を具備し、予め事業者サービス情報を記憶するようにしてもよい。
【００３８】
事業者サービス情報中に、送信したＭＣＣとＭＮＣとに対応する登録事業者情報がない場合は、制御部２７は挿入されたＵＩＭカードではフェムトセル基地局装置２が使用できないと判断する。この場合、表示部２６はフェムトセル基地局装置２を使用できないことを示す警告を表示する。なお、フェムトセル基地局装置２がスピーカーを具備し、音声によって警告するようにしてもよい。送信したＭＣＣとＭＮＣとに対応する登録事業者情報が存在する場合は、ＩＰ通信部２２は当該登録事業者情報を受信する。制御部２７は、登録事業者情報に基づいてこの事業者のフェムトセル基地局装置として運用可能か否かを判断する。例えば、登録事業者情報に指定されている周波数にフェムトセル基地局装置２が対応できない場合、制御部２７は自フェムトセル基地局装置を使用できない旨を警告する。運用可能と判断した場合は、制御部２７は登録事業者情報を登録事業者情報記憶部に登録する。カード読取部２３は、挿入されているＵＩＭカードからＩＭＳＩやＴＭＳＩやＩＣＣＩＤやＭＳＩＳＤＮ等の移動局装置情報を読み取り、制御部２７を介して移動局装置情報記憶部２４に登録する。
【００３９】
次に、制御部２７はＬＴＥフェムトセル通信部２１の設定を行なう。設定が行われると、ＬＴＥ設定情報部２１は設定された周波数および基地局ＩＤを用いて、チャネル情報に応じてＬＴＥ同期チャネルや報知チャネルや制御チャネル等の送信を開始する。また、フェムトセル基地局装置２はＩＰ網を介して事業者のコアネットワークに接続し、自フェムトセル基地局装置設置完了の通知を行う。事業者はフェムトセル基地局装置２の登録のために必要な処理があれば行い、フェムトセル基地局装置２に登録完了の通知を行う。フェムトセル基地局装置２の登録のために必要な処理としては、フェムトセル基地局装置２が使用する周波数や基地局ＩＤの登録及びフェムトセル基地局装置２に接続許可された移動局装置の登録などがある。登録完了の通知を受信すると、表示部２６はフェムトセル基地局装置設置完了のメッセージを表示する。なお、フェムトセル基地局装置２がスピーカーやＬＥＤ(Light Emitting Diode)を備え、ビープ音あるいはＬＥＤの点灯などにより設置完了を通知するようにしてもよい。
設置完了後、フェムトセル基地局装置２に登録されたＵＩＭカードを装着された移動局装置は、起動されるとフェムトセル基地局装置２を検出して同基地局装置に位置登録を行う。この移動局装置の移動局装置情報は移動局装置情報記憶部２４に記憶された移動局装置情報と一致するので、移動局装置はフェムトセル基地局装置２に位置登録することができ、以後、フェムトセル基地局装置２を使用できる。
【００４０】
フェムトセルがすでに稼動している状態でＵＩＭカードが挿入され、登録開始ボタン（図５のボタン５０５）が押された場合は、カード読取部２３が挿入されたＵＩＭカードから移動局装置情報を読み取る。つまり、カード読取部２３（読取部）はＵＩＭカード（記録媒体）から移動局装置情報中のＭＣＣとＭＮＣ（事業者識別情報）を読み取る。制御部２７は、そのＭＣＣ及びＭＮＣが登録事業者情報記憶部１８に記憶されたＭＣＣ及びＭＮＣと一致するか否かを判断する。一致する場合は移動局装置情報の登録を行う。ＵＩＭカードに登録されているＩＭＳＩやＴＭＳＩやＵＩＭカードの識別番号ＩＣＣＩＤや電話番号ＭＳＩＳＤＮ等の移動局装置情報が登録される。なお、ＵＩＭカードに自フェムトセル基地局装置が使用する周波数や基地局ＩＤ等を書き込むようにしてもよい。コアネットワークへの登録が必要な場合は、ＩＰ網を介して事業者のコアネットワークと接続し登録を行う。処理が完了すると、表示部２６は登録完了の通知を行う。なおフェムトセル基地局装置２がスピーカーを具備し、登録完了の通知を音声等で行うようにしてもよい。以後、このＵＩＭカードを挿入された移動局装置はフェムトセル基地局装置２を使用できる。
【００４１】
ＵＩＭカードから読み取ったＭＣＣ及びＭＮＣが登録事業者情報記憶部２８に記憶されたＭＣＣ及びＭＮＣと異なる場合は、表示部２６は、フェムトセル基地局装置２に設定されている事業者と異なるＵＩＭカードが挿入されていることを警告する。また表示部２６は、新しい事業者の設定に変更するか否かの選択を求めるメッセージを表示する。新しい事業者の設定を行わない選択がなされた場合は、表示部２６は自フェムトセル基地局装置を使用できない旨の警告を行う。なお、フェムトセル基地局装置２がスピーカーやＬＥＤを具備し、ブザー音やＬＥＤの点灯などによって警告を行うようにしてもよい。新しい事業者の設定を行う選択がなされた場合は、フェムトセル基地局装置２はＩＰ網を介して現在登録している事業者コアネットワークに自フェムトセル基地局装置の登録抹消を申請する。登録抹消の作業が完了した後、フェムトセル基地局装置２は抹消完了通知を受信する。新しい事業者の設定に変更するか否かの選択は、例えば、登録開始ボタン５０５と選択ボタン５０７とを用いて行う。表示部２６は、新しい事業者の設定に変更するか否かの選択を求めるメッセージと共に、選択する旨を表示し、選択ボタン５０７が押下されると、選択する旨の表示と選択しない旨の表示とを切り替える。選択する旨が表示されているときに登録開始ボタン５０５が押下された場合は新しい事業者の設定を行う選択がなされ、選択しない旨が表示されているときに登録開始ボタン５０５が押下された場合は新しい事業者の設定を行なわない選択がなされる。あるいは、選択する旨を示す選択ボタンと選択しない旨を示す非選択ボタンとをフェムトセル基地局装置１に新たに設けてもよい。
抹消完了通知を受信したフェムトセル基地局装置２は、登録事業者情報記憶部２８を初期化し、未登録の状態とする。以下、フェムトセル基地局装置２は上記の未使用の状態から登録及び設定を行う場合と同様の手順で登録及び設定処理を行う。
【００４２】
図１２及び図１３は、フェムトセル基地局装置２が移動局装置情報および登録事業者情報を登録する手順を示すフロー図である。ＵＩＭカードスロットにＵＩＭカードが挿入され、登録開始ボタンが押下されるとフェムトセル基地局装置２は移動局装置情報および登録事業者情報の登録を開始する。
ステップＳｃ１において、カード読取部２３はＵＩＭカードが挿入されているか否かを判断する。ＵＩＭカードが挿入されていない場合（ステップＳｃ１：ＮＯ）、ステップＳｃ２に進み、ＵＩＭカードが挿入されている場合（ステップＳｃ１：ＹＥＳ）、ステップＳｃ３に進む。ステップＳｃ２において、表示部２６はカードが挿入されていないことを示す警告を表示し、その後フェムトセル基地局装置１は登録処理を終了する。
ステップＳｃ３において、制御部２７はＵＩＭカードに記録されている移動局装置情報が、移動局装置情報記憶部２４に登録済みか否かを判断する。移動局装置情報が登録済みの場合（ステップＳｃ３：ＹＥＳ）、ステップＳｃ１８に進み、移動局装置情報が未登録の場合（ステップＳｃ３：ＮＯ）、ステップＳｃ４に進む。ステップＳｃ４において、制御部２７は、登録事業者情報記憶部２８に登録事業者情報が登録されているか否かを判断する。登録事業者情報が登録されている場合（ステップＳｃ４：ＹＥＳ）、ステップＳｃ５へ進み、登録事業者情報が登録されていない場合（ステップＳｃ４：ＮＯ）、ステップＳｃ６へ進む。ステップＳｃ５において、制御部２７は、ＵＩＭカードに記録されているＭＣＣ及びＭＮＣが、登録事業者情報記憶部２８に記憶されているＭＣＣ及びＭＮＣと一致するか否かを判断する。ＭＣＣ及びＭＮＣが一致する場合(ステップＳｃ５：ＹＥＳ)、ステップＳｃ１５へ進む。ＭＣＣ及びＭＮＣが一致しない場合（ステップＳｃ５：ＮＯ）、図１３のステップＳｃ２１へ進む。
【００４３】
ステップＳｃ６において、制御部２７はＩＰ通信部２２及びＩＰ網６０１を介して事業者サービス情報サーバー６０２にＭＣＣ及びＭＮＣを送信し、該ＭＣＣ及びＭＮＣに対応する登録事業者情報、又は対応する登録事業者情報が登録されていない旨の情報を受信する。なお、前述のようにフェムトセル基地局装置２が事業者サービス情報記憶部（不図示）を具備して予め事業者サービス情報を記憶し、制御部２７がＭＣＣ及びＭＮＣをキーとして事業者サービス情報を検索して登録事業者情報を取得するようにしてもよい。登録事業者情報にはＩＰ通信部２２の設定パラメータが含まれている。つまり、制御部２７（事業者サービス情報取得部）は登録事業者情報記憶部２８に記憶されたＭＣＣ及びＭＮＣ（事業者識別情報）とカード読取部２３（読取部）からのＭＣＣ及びＭＮＣ（事業者識別情報）とを照合し照合結果に応じて、カード読取部２３（読取部）からのＭＣＣ及びＭＮＣ（事業者識別情報）に応じた登録事業者情報（設定パラメータを含む）を、自無線通信装置内の事業者サービス情報記憶部（不図示）から取得し又は事業者サービス情報サーバー（前記通信ネットワークに接続された外部のサーバー）からＩＰ通信部２２（前記ネットワーク通信部）を介して取得する。
ステップＳｃ７において、制御部２７は上記対応する登録事業者情報が事業者サービス情報サーバー６０２に登録されているか否かを判断する。登録されている場合（ステップＳｃ７：ＹＥＳ）、ステップＳｃ８に進む。登録されていない場合（ステップＳｃ７：ＮＯ）、ステップＳｃ１９に進む。ステップＳｃ８において、制御部２７は事業者サービス情報サーバー６０２から受信した登録事業者情報の内容で自フェムトセル基地局装置２が運用可能か否かを判断する。運用可能な場合（ステップＳｃ８：ＹＥＳ）、ステップＳｃ９に進む。運用不可能な場合（ステップＳｃ８：ＮＯ）、ステップＳｃ１９に進む。
【００４４】
ステップＳｃ９において、制御部２７は事業者サービス情報サーバー６０２から受信した登録事業者情報を登録事業者情報記憶部２８に記憶する。つまり、制御部２７（無線通信設定部）はカード読取部２３（読取部）からの登録事業者情報中のＭＣＣ及びＭＮＣ（事業者識別情報）を登録事業者情報記憶部２８に書き込む。ステップＳｃ１０において、制御部２７はＵＩＭカードから移動局装置情報を読み出して移動局装置情報記憶部２４に書き込む。ステップＳｃ１１において、制御部２７は登録事業者情報記憶部２８から基地局ＩＤと周波数情報とチャネル情報などの設定パラメータを読み出して設定情報記憶部２９に書き込むとともに、設定パラメータに基づいてＬＴＥフェムトセル通信部２１の設定を行う。つまり、制御部２７（無線通信設定部）は取得された設定パラメータに基づいてＬＴＥフェムトセル通信部２１（無線通信部）を設定する。これによりＬＴＥフェムトセル通信部２１は通信可能となり、移動局装置からの接続要求を受信すると該移動局装置との通信を行う。ＬＴＥフェムトセル通信部２１の設定の詳細については後述する。
【００４５】
ステップＳｃ１２において、ＬＴＥフェムトセル通信部２１はＬＴＥ同期チャネルや報知チャネルや制御チャネル等の送信を開始する。ステップＳｃ１３において、制御部２７は登録事業者情報記憶部２８から事業者サーバーの接続先ＩＰアドレスを読み出し、ＩＰ通信部２２は事業者サーバーに接続することによって事業者コアネットワークに接続する。ここで、ステップＳｃ６で述べたように登録事業者情報記憶部２８に記憶されている登録事業者情報は、自無線通信装置内又は外部のサーバーより取得したものである。つまり、制御部２７（ネットワーク通信部）は事業者サーバーの接続先ＩＰアドレス（事業者コアネットワークに接続するためのアドレス情報である事業者コアネットワーク接続先情報）をカード読取部２３（読取部）からのＭＣＣ及びＭＮＣ（事業者識別情報）に応じて自無線通信装置内又は外部のサーバーより取得し、事業者サーバーの接続先ＩＰアドレス（事業者コアネットワーク接続先情報）に従って事業者コアネットワークに接続する。
【００４６】
制御部２７は自フェムトセル基地局装置２が使用するＩＤや周波数など自フェムトセル基地局装置２に関する情報と、新たに登録する移動局装置の情報とを事業者サーバーに登録する。ステップＳｃ１４において、表示部２６は自フェムトセル基地局装置２の設定および移動局装置情報の登録が完了した旨を表示し、その後フェムトセル基地局装置２は登録処理を終了する。
さて、前述のステップＳｃ１９においては、表示部２６は移動局装置が自フェムトセル基地局装置２を使用できない旨を示す警告を表示し、その後フェムトセル基地局装置２は登録処理を終了する。ステップＳｃ１５において、制御部２７はＵＩＭカードから移動局装置情報を読み出して移動局装置情報記憶部２４に書き込む。ステップＳｃ１６において、制御部２７は、新たに登録する移動局装置の情報を事業者サーバーに登録する。ステップＳｃ１７において、表示部２６は移動局装置情報の登録が完了した旨を表示し、その後フェムトセル基地局装置２は登録処理を終了する。ステップＳｃ１８において、表示部２６は移動局装置情報が登録済みである旨を表示し、その後フェムトセル基地局装置２は登録処理を終了する。
【００４７】
図１３のステップＳｃ２１において、表示部２６は自フェムトセル基地局装置２に登録された事業者が、ＵＩＭカードに登録された事業者と異なる旨を示す警告を表示する。ステップＳｃ２２において、操作入力部２５は自フェムトセル基地局装置２の設定を変更するか否かを示す操作を受け付けて設定変更の有無を示す情報を制御部２７に出力する。ステップＳｃ２３において、制御部２７は操作入力部２５から入力される前記情報に基づいて、設定変更を行うか否かを判断する。設定変更を行う場合（ステップＳｃ２３：ＹＥＳ）、ステップＳｃ２４に進む。設定変更を行わない場合（ステップＳｃ２３：ＮＯ）、図１２のステップＳｃ１９に進む。ステップＳｃ２４において、制御部２７は事業者サーバーに対して自フェムトセル基地局装置２に関する情報の削除を求める信号を送信し、事業者サーバーから削除が完了したことを示す信号を受信する。ステップＳｃ２５において、登録事業者情報記憶部２８に記憶された情報及び移動局装置情報記憶部２４に記憶された情報を削除（初期化）し、図１２のステップＳｃ６に進む。
【００４８】
つぎに、制御部２７が行うＬＴＥフェムトセル通信部２１の設定について説明する。制御部２７は事業者サービス情報サーバー６０２から受信した登録事業者情報に基づいてＬＴＥフェムトセル通信部２１の設定を行う。制御部２７がＬＴＥフェムトセル通信部２１の設定を行う際に、事業者サービス情報サーバー６０２から受信した登録事業者情報中にフェムトセル基地局装置２が使用可能な周波数等が複数含まれることが考えられる。ＬＴＥでは、複数の周波数バンドが利用可能となっており、また、各バンドの周波数を分割して複数の事業者に割り当てることが考えられる。前記事業者サービス情報には、各事業者がこの周波数の中でフェムトセル用に割り当てている周波数帯域（周波数バンドを周波数方向に分割した一部分）が含まれている。この周波数帯域は１つの場合もあるし、あるいは複数設定されている場合もある。
また、基地局ＩＤは事業者毎に運営されており、利用できる基地局ＩＤが限定されることが考えられる。フェムトセル基地局装置２は、複数の事業者で利用できるように、各事業者に割り当てられている周波数バンドや基地局ＩＤや送信電力等に対応できるハードウェアを具備している。事業者の情報に合わせてＬＴＥフェムトセル通信部のパラメータを決定し、設定することで当該事業者に対応可能となる。このように、登録事業者情報はＬＴＥフェムトセル通信部２１の設定パラメータを含む情報である。
【００４９】
上記のように事業者サービス情報サーバー６０２から受信した登録事業者情報に幾つかの選択肢が含まれる場合、フェムトセル基地局装置２は登録事業者情報に含まれる事業者のＩＰアドレスを用いて事業者サーバーに接続し、設定パラメータの送信を要求する。フェムトセル基地局装置２は、ユーザーによって予め設定されている自フェムトセル基地局装置の設置場所情報を含む設定情報要求信号を送信して設定パラメータの送信を要求する。事業者サーバーは受信した設置場所情報に基づいてフェムトセル基地局装置２に割り当てる周波数および基地局ＩＤを決定し、フェムトセル基地局装置２に送信する。なお、自フェムトセル基地局装置の設置場所情報は、ブロードバンドに接続するための電話番号であってもよいし、フェムトセル基地局装置２がＧＰＳ(Global Pointing System)機能を備えて自ら設置場所を検出してもよい。
【００５０】
なお、事業者が指定した周波数帯域や基地局ＩＤを使用する必要が無い場合は、フェムトセル基地局装置２が自らパラメータ設定を行うようにしてもよい。この場合、フェムトセル基地局装置２は、他の基地局が送信する信号を受信して受信信号レベルおよび周波数と送信元の基地局ＩＤとを測定する機能をさらに備える。フェムトセル基地局装置２は、登録事業者情報で利用可能とされている周波数帯域について電波環境を測定して、他の基地局が送信する信号の受信信号レベルおよび周波数と送信元の基地局ＩＤとを測定する。測定の結果、他の基地局が使用するＩＤがあれば、干渉を避ける為にそのＩＤ以外の利用可能な基地局ＩＤの中から基地局ＩＤを選択する。また、幾つかの周波数帯域が利用可能な場合は、他の基地局からの干渉が最も低くなる周波数帯域を選択する。このようにしてフェムトセル基地局装置２は、測定結果から最適な周波数及び基地局ＩＤを選択する。利用可能な基地局ＩＤが複数ある場合は、ランダムに選択するようにする。また、利用可能な全ての基地局ＩＤが他の基地局によって使用されている場合は、受信信号レベルが最も低い基地局ＩＤを選択する。
【００５１】
制御部２７は、以上により決定された周波数と基地局ＩＤと設定情報記憶部２９に書き込む。併せて、制御部２７は登録事業者情報に含まれる利用可能なチャネル情報（報知チャネルの構成や、報知チャネルで報知する情報、パケット通信を行う場合に使用可能なコーディングレート、パケットサイズ等）も設定情報記憶部２９に書き込む。制御部２７は、設定情報記憶部２９に書き込まれた設定パラメータに基づいてＬＴＥフェムトセル通信部２１の設定を行う。設定が完了すると、ＬＴＥフェムトセル通信部２１はＬＴＥ同期チャネルや報知チャネルや制御チャネル等の送信を開始する。ＬＴＥフェムトセル通信部２１が送信を開始すると、制御部２７はＩＰ通信部２２及びＩＰ網６０１を介して事業者サーバーに接続し、フェムトセル基地局装置設置完了を通知する。制御部２７は、自基地局の位置情報と、使用周波数と、使用する基地局ＩＤと、自基地局の使用を許可する移動局装置の情報とを事業者サーバーに送信する。事業者サーバーは受信した情報を登録し、フェムトセル基地局装置２に登録完了を通知する。
なお、事業者サーバーへの登録作業と並行して、制御部２７が基地局ＩＤや周波数などの情報をＵＩＭカードに書き込むようにしてもよい。移動局装置が位置登録やセルサーチを行う際にこれらの情報を用いてフェムトセル基地局装置２への接続を優先的に試みることで、接続が速やかに行われることが期待できる。
【００５２】
以上のように、移動局装置からＵＩＭカードを取り出してフェムトセル基地局装置２に挿入することによってフェムトセル基地局装置２の設定を行えるので、簡単な操作で設定でき、かつ設定ミスを防止できる。また、フェムトセル基地局装置２の設定を変更することにより異なる事業者に対応できるので、利用する事業者をユーザーが変更した場合にも引き続きフェムトセル基地局装置２を使用できる。したがって、利用する事業者を変更してもそれまで使用していたフェムトセル基地局が無駄にならず、かつ、フェムトセル基地局を設置し直す手間を省くことができる。
【００５３】
＜第３の実施形態＞
次に、本発明の第３の実施形態について説明する。図１４は、本発明の第３の実施形態によるフェムトセル基地局装置３の構成を示す概略ブロック図である。同図においてフェムトセル基地局装置３は、第１ＬＴＥフェムトセル通信部３１１および第２ＬＴＥフェムトセル通信部３１２とＩＰ通信部３２とカード読取部３３と移動局装置情報記憶部３４と操作入力部３５と表示部３６と制御部３７と登録事業者情報記憶部３８と設定情報記憶部３９とを含んで構成される。つまり、フェムトセル基地局装置３は複数のＬＴＥフェムトセル通信部３１１及び３１２（無線通信部）を具備する。
ＩＰ通信部３２とカード読取部３３と移動局装置情報記憶部３４と操作入力部３５と表示部３６とは、それぞれ図８のＩＰ通信部２２とカード読取部２３と移動局装置情報記憶部２４と操作入力部２５と表示部２６とに対応する。これらについては説明を省略する。制御部３７は各部の制御を行う。制御部３７は図９の制御部２７に対応する。ただし、制御部３７は複数フェムトセル通信部３１１及び３１２の設定を行なって複数の事業者に対応する点で図９の制御部２７と異なる。第１ＬＴＥフェムトセル通信部３１１と第２ＬＴＥフェムトセル通信部３１２とは、各々図８のＬＴＥフェムトセル通信部２１に対応する。登録事業者情報記憶部３８は図８の登録事業者情報記憶部２８に対応する。ただし、登録事業者情報記憶部３８は２個の登録事業者情報を記憶することができる。フェムトセル基地局装置３が未使用の状態では、登録事業者情報記憶部３８には登録事業者情報は登録されていない。設定情報記憶部３９は図８の設定情報記憶部２９に対応する。ただし、設定情報記憶部３９は第１ＬＴＥフェムトセル通信部３１１の設定情報と第２ＬＴＥフェムトセル通信部３１２の設定情報とを記憶する。
【００５４】
図１５は、登録事業者情報記憶部３８が記憶する登録事業者情報の構成を示すデータ構成図である。登録事業者情報記憶部３８は、第１ＬＴＥフェムトセル通信部３１１に対応する第１登録事業者情報と第２ＬＴＥフェムトセル通信部３１２に対応する第２登録事業者情報との２個の登録事業者情報を記憶する。つまり、登録事業者情報記憶部３８はＭＣＣ及びＭＮＣの複数分（複数の事業者識別情報）の各々をＬＴＥフェムトセル通信部３１１および３１２（無線通信部）のいずれかに対応付けて記憶する。登録事業者情報として記憶される項目は図１０と同様である。登録事業者情報記憶部３８は２個の登録事業者情報を表形式のデータとして記憶し、１行目のデータが第１登録事業者情報に対応し、２行目のデータが第２登録事業者情報に対応する。登録事業者情報記憶部３８が記憶する各登録事業者情報はＭＣＣ及びＭＮＣを主キーとして検索することができる。
【００５５】
ＵＩＭカードスロットにＵＩＭカードが挿入され、登録開始ボタンが押下されるとフェムトセル基地局装置３は移動局装置情報および登録事業者情報の登録を開始する。
フェムトセル基地局装置３はカード読取部３３によりＵＩＭカードから読み取ったＭＣＣ及びＭＮＣを、ＩＰ網を介して事業者サービス情報サーバーに送信して登録事業者情報を受信する。なお、フェムトセル基地局装置３が事業者サービス情報記憶部を具備し、予め事業者サービス情報を記憶しておくようにしてもよい。
受信した登録事業者情報に基づいて自フェムトセル基地局装置を運用可能であれば、制御部３７はこの登録事業者情報を登録事業者情報記憶部３８に保存する。制御部３７は、登録事業者情報記憶部３８に記憶された登録事業者情報に基づき、第１ＬＴＥフェムトセル通信部３１を設定する。これにより、第１ＬＴＥフェムトセル通信部３１はＵＩＭカードを発行した事業者（事業者１）の移動局装置に対応するＬＴＥフェムトセル通信部として動作する。第１ＬＴＥフェムトセル通信部３１１の設定が完了すると、フェムトセル基地局装置３は事業者１のコアネットワークに対して自フェムトセル基地局装置の登録要求を行う。コアネットワークがフェムトセル基地局装置の登録処理が完了するとフェムトセル基地局装置３は登録完了通知を受信する。登録完了通知を受信したフェムトセル基地局装置３は表示部３６に設定完了のメッセージを表示する。あるいはフェムトセル基地局装置３がＬＥＤまたはスピーカーを具備し、ＬＥＤの点灯またはビープ音等で通知するようにしてもよい。
【００５６】
設定が完了すると第１ＬＴＥフェムトセル通信部３１１は、移動局装置との通信が可能となる。移動局装置情報記憶部３４に登録されたＵＩＭカードが挿入された移動局装置はフェムトセル基地局装置３を検出すると、フェムトセル基地局装置３への位置登録やセルリセレクションやルーティングエリア更新等の処理など、フェムトセル基地局装置３へ在圏するための処理を行なう。フェムトセル基地局装置３はこれらの処理を要求している移動局装置が移動局装置情報記憶部３４に登録された移動局装置であればその処理を許可し、そうでなければこれらの処理を拒否する。移動局装置情報記憶部３４に登録された移動局装置はフェムトセル基地局装置３に在圏し、以後音声電話やテレビ電話やパケット通信やメールの送受信等の通信を行う場合は、第１ＬＴＥフェムトセル通信部３１１を介して事業者１のコアネットワークに接続する。フェムトセル基地局装置３は第１ＬＴＥフェムトセル通信部３１１に接続された移動局装置から取得したデータあるいは移動局装置に送信するデータを、ＩＰ通信部３２を介して事業者１のコアネットワークとの間で送受信する。フェムトセル基地局装置３との通信ができないエリアに移動した場合は、移動局装置は事業者１のマクロセル基地局へのセルリセレクションやルーティングエリア更新等の処理を行い、ＬＴＥに規定された通信方式に基づいた携帯電話機として動作する。
【００５７】
第１ＬＴＥフェムトセル通信部３１１が設定された後、事業者１と異なる事業者（事業者２）が発行したＵＩＭカードがＵＩＭカードスロットに挿入され、登録開始ボタンが押された場合は、登録事業者情報記憶部３８の第２ＬＴＥフェムトセル通信部３１２に対応する行、すなわち２行目が未登録となっているので、制御部３７は、第２フェムトセル通信部３１２の設定及び移動局装置情報等の登録処理を行う。登録事業者情報記憶部３８中の第２ＬＴＥフェムトセル３１２用の領域である２行目を用いる以外は、第１ＬＴＥフェムトセル３１１の登録と同様の処理を行う。これにより、第２ＬＴＥフェムトセル通信部３１２は事業者２の移動局装置対応した設定となる。
以上の設定により、第１ＬＴＥフェムトセル通信部３１１は事業者１のサービス内容に合わせた周波数領域や基地局ＩＤ等で通信を行い、第２ＬＴＥフェムトセル通信部３１２は事業者２のサービス内容に合わせた周波数や基地局ＩＤ等で通信を行う。これらの通信部が送信する報知情報にはＭＣＣ及びＭＮＣが含まれており、第１ＬＴＥフェムトセル通信部３１１からは事業者１のＭＣＣ及びＭＮＣが通知され、第２ＬＴＥフェムトセル通信部３１２からは事業者２のＭＣＣ及びＭＮＣが通知される。
【００５８】
以上により、事業者１が発行したＵＩＭカードかつ移動局装置情報に登録されているＵＩＭカードが挿入された移動局装置は第１ＬＴＥフェムトセル通信部３１１を介して事業者１のコアネットワークとの通信が可能となる。同様に事業者２が発行したＵＩＭカードかつ移動局装置情報に登録されているＵＩＭカードが挿入された移動局装置は第２ＬＴＥフェムトセル通信部３１２を介して事業者２のコアネットワークとの通信が可能となり、音声電話やテレビ電話やブラウジングやメール送受信等のサービスを、フェムトセル基地局装置３を介して受けることが可能となる。
フェムトセル基地局装置３は、第１ＬＴＥフェムトセル通信部３１１が移動局装置からの無線通信を受信したか第２ＬＴＥフェムトセル通信部３１２が移動局装置からの無線通信を受信したかに応じて事業者コアネットワークに接続する。第１ＬＴＥフェムトセル通信部３１１が無線通信を受信した場合は、制御部３７は登録事業者情報記憶部３８中の第１ＬＴＥフェムトセル通信部３１１に対応する行（１行目）からＩＰアドレスを読み出してＩＰ通信部３２に出力し、ＩＰ通信部３２は入力されたＩＰアドレスに従って事業者コアネットワークに接続する。第２ＬＴＥフェムトセル通信部３１２が無線通信を受信した場合は、制御部３７は登録事業者情報記憶部３８中の第２ＬＴＥフェムトセル通信部３１２に対応する行（２行目）からＩＰアドレスを読み出してＩＰ通信部３２に出力し、ＩＰ通信部３２は入力されたＩＰアドレスに従って事業者コアネットワークに接続する。これによって移動局装置に応じた事業者コアネットワークに接続される。
なお、フェムトセル基地局装置３がフェムトセル通信部と同数のＩＰ通信部を備えるようにしてもよい。この場合、複数の事業者コアネットワークに接続しておけるので、どのＬＴＥフェムトセル通信部が無線通信を受信したかによって接続先の事業者コアネットワークを切り替える必要がない。制御部３７は、ＬＴＥフェムトセル通信部設定時に、登録事業者情報記憶部３８中の同ＬＴＥフェムトセル通信部に対応する行からＩＰアドレスを読み出して、同フェムトセル通信部に対応するＩＰ通信部に出力する。ＩＰ通信部は入力されたＩＰアドレスに従って事業者のコアネットワークに接続する。
【００５９】
第１ＬＴＥフェムトセル通信部３１１と第２ＬＴＥフェムトセル通信部３１２とが共に設定された状態で、ＵＩＭカードスロットにＵＩＭカードが挿入され、登録開始ボタンが押された場合、制御部３７は移動局装置情報記憶部３４に登録されている移動局装置か否かを判定する。登録済みの移動局装置であれば、表示部３６が登録済みであることを表示する。なお、ＬＥＤ発光や音声など他の手段を用いて通知するようにしてもよい。未登録の移動局装置であれば、ＵＩＭカードから読み出したＭＣＣ及びＭＮＣを用いて、登録事業者情報記憶部３８に登録されている事業者かどうかを確認する。登録済みの事業者であれば、その移動局装置を移動局装置情報部に登録する。また、必要に応じて、登録事業者情報に登録されている事業者のコアネットワークに接続し、フェムトセル基地局装置３に接続が許可された移動局装置の情報を更新する。登録が完了すると表示部３６は完了の表示を行う。なお、LEDを点灯させる、あるいはビープ音を鳴らす等によって通知するようにしてもよい。以上の処理により、当該ＵＩＭカードを挿入された移動局装置はフェムトセル基地局装置３を使用可能となり、フェムトセル基地局装置３を介して音声電話やテレビ電話やパケット通信等を行うことができる。
【００６０】
ＵＩＭカードから読み出したＭＣＣ及びＭＮＣが登録事業者情報記憶部３８に登録されていない場合は、未登録のＬＴＥフェムトセル通信部３１または３２があるかどうか確認する。未登録のＬＴＥフェムトセル通信部がない場合、このＵＩＭカードを挿入した移動局装置を使用するためには、現在登録されている事業者を削除する必要がある旨を表示部３６によりユーザーに通知する。ユーザーが登録済みの事業者の削除を拒否した場合は、このＵＩＭカードの事業者が登録できない旨を表示部３６で表示し、登録処理を終了する。ユーザーが登録済みの事業者の削除を了承した場合は、表示部３６は登録済みの事業者を表示し、削除する事業者をユーザーに選択させる。削除する事業者が選択されると、制御部３７はＩＰ網を介して事業者のコアネットワークに接続し、削除要求を送信する。事業者のコアネットワークは削除要求を受信するとフェムトセル基地局装置３の登録を削除し、フェムトセル基地局装置３に削除完了の通知を行う。削除完了の通知を受信するとフェムトセル基地局装置３は、該当する登録事業者情報と移動局装置情報とＬＴＥフェムトセル通信部の設定情報とを削除して未登録の状態とする。以後、フェムトセル基地局装置３は前述と同様に登録及び設定の処理を行う。これにより、フェムトセル基地局装置３はＵＩＭカードを発行した事業者に対応し、このＵＩＭカードを挿入された移動局装置はフェムトセル基地局装置３を利用可能となる。
【００６１】
図１６及び図１７は、フェムトセル基地局装置３が移動局装置情報および登録事業者情報を登録する手順を示すフロー図である。
図１６において、ステップＳｄ１からステップＳｄ３までは、図１２のステップＳｃ１からステップＳｃ３までと同様である。ステップＳｄ４において、制御部３７は、登録事業者情報記憶部３８に登録事業者情報が登録されているか否かを判断する。登録事業者情報が１個以上登録されている場合（ステップＳｄ４：ＹＥＳ）、ステップＳｄ５へ進み、登録事業者情報が１個も登録されていない場合（ステップＳｄ４：ＮＯ）、ステップＳｄ６へ進む。ステップＳｄ５において、制御部３７は、ＵＩＭカードに記録されているＭＣＣ及びＭＮＣが、登録事業者情報記憶部３８に記憶されているいずれかの登録事業者情報のＭＣＣ及びＭＮＣと一致するか否かを判断する。いずれかの登録事業者情報と一致する場合(ステップＳｄ５：ＹＥＳ)、ステップＳｄ１５へ進む。いずれの登録事業者情報とも一致しない場合（ステップＳｄ５：ＮＯ）、図１７のステップＳｄ２４へ進む。
ステップＳｄ６からステップＳｄ１９までは、図１２のステップＳｃ６からステップＳｃ１９までと同様である。ただし、ステップＳｄ１０において、制御部３７は事業者サービス情報サーバーから受信した登録事業者情報を、第１登録事業者情報として登録事業者情報記憶部３８に記憶する。また、ステップＳｄ１１において、制御部３７は第１ＬＴＥフェムトセル通信部３１１の設定を行う。
【００６２】
図１７のステップＳｄ２４において、制御部３７は登録事業者情報記憶部３８に空きがあるか、すなわち、第１登録事業者情報または第２登録事業者情報のいずれかが未登録であるかを判断する。空きがある場合（ステップＳｄ２４：ＹＥＳ）ステップＳｄ２５に進む。空きが無い場合（ステップＳｄ２４：ＮＯ）ステップＳｄ４１に進む。ステップＳｄ２５からステップＳｄ３２までは、図１６のステップＳｄ５からステップＳｄ１２までと同様である。ただし、ステップＳｄ２９において、第１登録事業者情報または第２登録事業者情報のいずれか未登録のほうの情報として、制御部３７は事業者サービス情報サーバーから受信した登録事業者情報を登録事業者情報記憶部３８に記憶する。また、ステップＳｄ２９で第１登録事業者情報を記憶した場合は、情報制御部３７はステップＳｄ３０において第１ＬＴＥフェムトセル通信部３１１の設定を行い、ステップＳｄ２９で第２登録事業者情報を記憶した場合は、制御部３７はステップＳｄ３０において第２ＬＴＥフェムトセル通信部３１２の設定を行う。つまり、制御部３７（無線通信設定部）は取得した登録事業者情報中の設定パラメータに基づいてＬＴＥフェムトセル通信部３１１または３１２（前記無線通信部のいずれか）を設定するとともに、登録事業者情報記憶部３８中から前記設定を行ったＬＴＥフェムトセル通信部（無線通信部）に対応付けられるＭＣＣ及びＭＮＣ（事業者識別情報）を削除して、カード読取部３３（読取部）が読み取ったＭＣＣ及びＭＮＣ（事業者識別情報）をＬＴＥフェムトセル通信部（無線通信部）に対応付けて書き込む。
図１２のステップＳｃ６と同様、ステップＳｄ２５において制御部３８はＩＰ通信部３２を介してＬＴＥフェムトセル通信部３１１または３１２の設定パラメータを含む登録事業者情報を取得する。つまり、ＩＰ通信部３２（ネットワーク通信部）はカード読取部３３（読取部）が読み取ったＭＣＣ及びＭＮＣ（事業者識別情報）が登録事業者情報記憶部３８に記憶されたＭＣＣ及びＭＮＣ（事業者識別情報）のいずれとも一致しない場合に前記設定パラメータを取得する。
【００６３】
ステップＳｄ４１において、表示部３６はＵＩＭカードに記録されている事業者と登録事業者情報記憶部３８に記憶されている事業者とが不一致であることを示す警告を表示する。ステップＳｄ４２において、第１ＬＴＥフェムトセル通信部３１１または第２ＬＴＥフェムトセル通信部３１２の設定変更を行うか否かを示すユーザーの操作を受け付けて、操作入力部３５は制御部３７に設定変更を行うか否かを示す情報を出力する。ステップＳｄ４３において、制御部３７は操作入力部３５から入力される設定変更を行うか否かを示す情報に基づいて、設定変更を行うか否かを判断する。設定変更を行う場合（ステップＳｄ４３：ＹＥＳ）、ステップＳｄ４４に進む。設定変更を行わない場合（ステップＳｄ４３：ＮＯ）、図１６のステップＳｄ１９に進む。
ステップＳｄ４４において、操作入力部３５は、第１ＬＴＥフェムトセル通信部と第２ＬＴＥフェムトセル通信部とのいずれを設定変更の対象とするかを示すユーザー操作の入力を受けて、設定変更対象を示す情報を制御部３７に出力する。ステップＳｄ４５において、操作入力部３５から入力された設定変更対象を示す情報に基づいて、第１ＬＴＥフェムトセル通信部３１１の設定を変更するか否かを判断する。第１ＬＴＥフェムトセル通信部３１１の設定を変更する場合（ステップＳｄ４５：ＹＥＳ）、ステップＳｄ４６に進み、第１ＬＴＥフェムトセル通信部３１１の設定を変更しない場合（ステップＳｄ４５：ＮＯ）、すなわち、第２ＬＴＥフェムトセル通信部３１２の設定を変更する場合は、ステップＳｄ４８に進む。
ステップＳｄ４６において、制御部３７は第１登録事業者情報が示す事業者の事業者サーバーに対して自フェムトセル基地局装置３に関する情報の削除を求める信号を送信し、事業者サーバーから削除が完了したことを示す信号を受信する。ステップＳｄ４７において、移動局装置情報記憶部３４に記憶された移動局装置情報のうち、第１登録事業者情報が示す事業者と一致するものを削除し、第１登録事業者情報を登録事業者情報記憶部３８から削除し、ステップＳｄ２５に進む。ステップＳｄ４８において、制御部３７は第２登録事業者情報が示す事業者の事業者サーバーに対して自フェムトセル基地局装置３に関する情報の削除を求める信号を送信し、事業者サーバーから削除が完了したことを示す信号を受信する。ステップＳｄ４８において、移動局装置情報記憶部３４に記憶された移動局装置情報のうち、第２登録事業者情報が示す事業者と一致するものを削除し、第２登録事業者情報を登録事業者情報記憶部３８から削除し、ステップＳｄ２５に進む。
【００６４】
移動局装置情報部に登録されたＵＩＭカードが挿入された移動局装置は、フェムトセル基地局装置３を検出すると、位置登録、セルリセレクション、ルーティングエリア更新(Routing Area Update)等、フェムトセル基地局装置３に在圏するための処理を行なう。フェムトセル基地局装置３は移動局装置からのこれらの処理を要求を受けて、処理を要求している端末が移動局装置情報部に登録された移動局装置であればその処理を許可し、そうでなければこれらの処理を拒否する。移動局装置情報部に登録された移動局装置は、フェムトセルに在圏することとなり、以後フェムトセル基地局装置３を介して音声電話、テレビ電話、パケット通信、メールの送受信等の通信を行う。フェムトセルの受信ができないエリアに移動した場合は、移動局装置は事業者のマクロセル基地局への位置登録、セルリセレクション、ルーティングエリア更新等の処理を行い、ＬＴＥに規定された通信方式に基づいたセルラー電話として動作する。
【００６５】
図１８は、移動局装置から位置登録要求を受けた場合のフェムトセル基地局装置３の動作を示すフロー図である。第１ＬＴＥフェムトセル通信部３１１または第２ＬＴＥフェムトセル通信部３１２が移動局装置からの位置登録要求を受信すると、フェムトセル基地局装置３は位置登録処理を開始する。以下では、第ｎＬＴＥフェムトセル通信部（ｎ＝１または２）が移動局装置からの位置登録要求を受信したものとする。ステップＳｅ１において、第ｎＬＴＥフェムトセル通信部３１１または３１２は移動局装置から移動局装置情報を受信する。ステップＳｅ２において、制御部３７は第ｎＬＴＥフェムトセル通信部３１１または３１２が受信した移動局装置情報と一致する移動局装置情報が移動局装置情報記憶部３４に記憶されているか否かを判断する。一致する移動局装置情報がある場合（ステップＳｅ２：一致）、ステップＳｅ３に進む。一致する移動局装置情報が無い場合（ステップＳｅ２：不一致）、ステップＳｅ５に進む。
ステップＳｅ３において、制御部３７は登録事業者情報記憶部４８に記憶された第ｎ登録事業者情報中のコアネットに接続するためのＩＰアドレスに接続先を決定する。ステップＳｅ４において、ＩＰ通信部３２は事業者のコアネットワークに位置登録要求を送信し、事業者のコアネットワークに接続されたホームロケーションレジスタ(Home Location Register: HLR)が位置登録を行う。位置登録が行われた移動局装置はフェムトセル基地局装置３を介して事業者のコアネットワークに接続することができ、音声電話やテレビ電話やパケット通信などを行うことができる。以上で、フェムトセル基地局装置３は位置登録処理を終了する。ステップＳｅ５において、表示部３６は位置登録を拒否する旨を表示し、その後フェムトセル基地局装置３は位置登録処理を終了する。
【００６６】
なお、以上では複数のＬＴＥフェムトセル通信部３１１および３１２が別々の事業者に対応する場合について説明したが、同一の事業者に対応するようにしてもよい。ＬＴＥフェムトセル通信部毎に登録できる移動局装置の数が限られている場合などは、使用したい事業者が複数の周波数でフェムトセルのサービスを提供していれば、ＬＴＥフェムトセル通信部を同じ事業者で異なる周波数に設定することにより、同じ事業者の端末の収容台数を拡大することが可能となる。
なお、ＬＴＥフェムトセル通信部３１１および３１２は、ＬＴＥ−Ａ(Long Term Evolution Advanced)やＷ−ＣＤＭＡ(Wideband Code Division Multiple Access)等ＬＴＥ以外の通信方式を用いてもよい。また、複数のＬＴＥフェムトセル通信部が全て同じ通信方式を用いる必要はなく、ＬＴＥとＷ−ＣＤＭＡが混在するような構成であっても構わない
【００６７】
以上のように、フェムトセル基地局装置３は複数の事業者に対応できるので、事業者ごとにフェムトセル基地局装置を設置する必要がなく、設置スペースや設備費用を削減することができる。たとえば家庭内で設置する場合、家族全員が同じ事業者を利用していない場合であっても、全員がフェムトセルを利用することが可能となる。あるいは個人で複数の事業者の端末を保有している場合も同様に複数の事業者に対してフェムトセルを利用することが可能となる。
【００６８】
＜第４の実施形態＞
次に、本発明の第４の実施形態について説明する。図１９は、本発明の第４の実施形態によるフェムトセル基地局装置４の構成を示す概略ブロック図である。同図においてフェムトセル基地局装置４は、ＬＴＥフェムトセル通信部４１とＩＰ通信部４２とカード読取部４３と移動局装置情報記憶部４４と操作入力部４５と表示部４６と制御部４７と登録事業者情報記憶部４８と設定情報記憶部４９とを含んで構成される。
ＩＰ通信部４２とカード読取部４３と移動局装置情報記憶部４４と操作入力部４５と表示部４６とは、それぞれ図１４のＩＰ通信部３２とカード読取部３３と移動局装置情報記憶部３４と操作入力部３５と表示部３６とに対応する。これらについては説明を省略する。
本実施形態では、フェムトセル基地局が使用可能な周波数と基地局ＩＤとして、各事業者に共通の周波数と基地局ＩＤとが定められ、事業者サービス情報サーバー６０２に登録されている。周波数及び基地局ＩＤはＬＴＥフェムトセル通信部４１に設定可能なフェムトセル基地局装置専用の周波数及び基地局ＩＤであればよく、複数の設定が存在していてもよい。ＬＴＥフェムトセル通信部４１は図８のＬＴＥフェムトセル通信部２１に対応するが、事業者サービス情報サーバー６０２から受信した上記の周波数と基地局ＩＤとを用いて、２台の異なる事業者の移動局装置と通信する点で異なる。なお、パケット通信を行う際の変調方式や、コーディングのレートなどのチャネル設定は移動局装置ごとに異なっていてもよい。登録事業者情報記憶部４８は、図１４の登録事業者情報記憶部３８と同様、２個の登録事業者情報を記憶する。ただし、周波数及び基地局ＩＤは各登録事業者情報に共通の同じ値を記憶している。設定情報記憶部４９は図１４の設定情報記憶部３９と同様、２通りの設定パラメータを記憶する。ただし、周波数及び基地局ＩＤは各設定に共通の同じ値を記憶している。制御部４７は図１４の制御部３７に対応する。ただし、１個のＬＴＥフェムトセル通信部４１の設定を行って複数の事業者に対応する点で、図１４の制御部３７と異なる。なお、ＬＴＥフェムトセル通信部４１が３台以上の異なる事業者の移動局装置と通信するようにしてもよい。この場合、登録事業者情報記憶部４８は事業者数に応じた登録事業者情報を記憶し、設定情報記憶部４９は事業者数に応じた設定パラメータを記憶する。
【００６９】
フェムトセル基地局装置４が移動局装置情報および登録事業者情報を登録する手順は図１６及び図１７と同様である。上述のとおり、各事業者に共通の周波数と基地局ＩＤとが事業者サービス情報サーバー６０２に登録されているので、図１６のステップＳｄ５及び図１７のステップＳｄ２５において取得する登録事業者情報の周波数と基地局ＩＤとは、各登録事業者情報に共通の値となっている。
フェムトセル基地局装置４が未使用の状態で事業者１のＵＩＭカードが挿入され登録開始ボタンが押下されると、制御部４７は、そのＵＩＭカードから読み出したＭＣＣ及びＭＮＣを事業者サービス情報サーバーに送信して、登録事業者情報を要求する。登録事業者情報を受信すると、制御部４７はその情報を登録事業者情報記憶部４８に書き込む。なお、フェムトセル基地局装置４が事業者サービス情報記憶部を具備して予め事業者サービス情報を記憶し、制御部４７がＭＣＣ及びＭＮＣをキーとして事業者サービス情報を検索して登録事業者情報を取得するようにしてもよい。図１０で説明したように、登録事業者情報にはＭＣＣおよびＭＮＣと事業者のサーバーに接続するためのＩＰアドレスとＬＴＥフェムトセル通信部４１設定パラメータを含むＩＰアドレス及び基地局ＩＤ及び周波数情報及びチャネル情報が含まれている。つまり、制御部４７（事業者サービス情報取得部）は設定パラメータと前記事業者コアネットワークに接続するためのアドレス情報である事業者コアネットワーク接続先情報とを前記読取部からの前記事業者識別情報に対応付けて取得するとともに該事業者識別情報を登録事業者情報記憶部に書き込む。
【００７０】
登録事業者情報記憶部４８への書き込みが完了すると、登録事業者情報を参照して事業者１のコアネットワークに接続し、フェムトセル基地局装置３の情報及び使用を許可する移動局装置の情報をコアネットワークに登録する。以後事業者１のＵＩＭカードが挿入された移動局装置はフェムトセル基地局装置４を使用して事業者１のコアネットワークに接続し、音声電話やテレビ電話やパケット通信等のサービスを利用することが可能となる。
上記設定後にフェムトセル基地局装置４にＵＩＭカードが挿入され登録開始ボタンが押下されると、カード読取部４３はＵＩＭカードからＭＣＣ及びＭＮＣを読み取る。制御部４７はこのＭＣＣ及びＭＮＣが登録事業者情報記憶部４８に登録されているか否かを判定する。登録されていない場合、ＩＰ通信部１２は事業者サービス情報サーバーにＭＣＣ及びＭＮＣを送信して登録事業者情報を受信する。制御部４７は登録事業者情報を登録事業者情報記憶部４８に登録する。以後、フェムトセル基地局装置４は上記事業者１の場合と同様に設定を行う。これにより、このＵＩＭカードが挿入された移動局装置はフェムトセル基地局装置４を使用可能となる。
【００７１】
移動局装置から通信の要求があった場合、ＬＴＥフェムトセル通信部（無線通信部）は移動局装置（通信端末装置）からＭＣＣ及びＭＮＣ（事業者識別情報）を含む移動局装置情報となるＩＭＳＩを受信する。あるいは仮の移動局装置情報となるＴＭＳＩを受信する。ＴＭＳＩを受信した場合は、移動局装置情報記憶部４４を検索し、該当する移動局装置のＭＣＣおよびＭＮＣを取得する。制御部４７は、受信されたＭＣＣ及びＭＮＣに対応する設定パラメータを設定情報記憶部４９から読み出す。ＬＴＥフェムトセル通信部４１（無線通信部）は、読み出された設定パラメータ（無線通信部からの事業者識別情報に対応する設定パラメータ）に基づいてＬＴＥフェムトセル通信部４１（無線通信部）を設定する。また、制御部４７は受信されたＭＣＣとＭＮＣとを検索キーとして登録事業者情報記憶部４８に記憶された登録事業者情報を検索し、ＩＰアドレスを取得する。ＩＰ通信部４２（無線通信部）は取得したＩＰアドレス（無線通信部からの事業者識別情報に対応する事業者コアネットワーク接続先情報）に従って事業者コアネットワークに接続する。制御部４７はＩＰ通信部４２とＩＰ網６０１を経由して事業者サーバーに接続する。これによりフェムトセル基地局装置４は移動局装置に対応する事業者のコアネットワークに接続し、移動局装置の通信を中継する。このように、フェムトセル基地局装置４は、同一のＬＴＥフェルトセム通信部４１を用いて通信を行う複数の移動局装置に対して対応する事業者を特定し、同事業者のコアネットワークに接続することができる。なお、制御部４７がＬＴＥフェムトセル通信部４１（無線通信部）の設定を行う際、移動局装置が対応していれば、設定情報記憶部４９に記憶された設定パラメータ（特定の事業者用に設定された通信パラメータ）で設定するのではなく、自フェムトセル基地局装置用に設定された通信パラメータを用いて設定を行うようにしてもよい。これにより、異なる事業者に対応する複数の移動局装置と同一の設定で通信することができ、ＬＴＥフェムトセル通信部４１の設定を切り替える必要がない。
【００７２】
以上のように、フェムトセル基地局装置４は１個のＬＴＥフェムトセル通信部で複数の事業者に対応できるので、フェムトセル基地局装置３よりもさらに設置スペースや設備費用を削減することができる。また、登録事業者情報記憶部４８に記憶する登録事業者情報の個数および設定情報記憶部４９に記憶する設定数を増やすことで、ＬＴＥフェムトセル通信部４１の数を増やすことなく対応可能な事業者の数を増やすことができる。
【００７３】
なお、図１と図８と図１４と図１９とにおける各部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００７４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバーやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７５】
なお、フェムトセル基地局装置１と２と３と４とが用いる通信方式はＬＴＥに限られず、ＬＴＥ−ＡやＷ−ＣＤＭＡ等、他の通信方式を用いるものであってもよい。
なお、フェムトセル基地局装置３が登録事業者情報記憶部に記憶する２個の登録事業者情報は、互いに異なるものに限られず、同一事業者で周波数が互いに異なる登録事業者情報であってもよい。登録事業者情報記憶部３８に同一事業者の登録事業者情報が複数記憶される場合、ＭＣＣ及びＭＮＣを検索キーとして登録事業者情報を一意に特定することは出来ないが、同一事業者の登録事業者情報には同一のＩＰアドレスが記憶されている。したがって制御部３７は、いずれかの登録事業者情報からＩＰアドレスを取得して事業者サーバーに接続することができる。
なお、フェムトセル基地局装置２と３と４で移動局装置情報を取得する方法は、ＵＩＭを挿入しカード読取部で読み取ることに限るものではなく、移動局装置に備えられたＩｒ通信機能や、Ｂｌｕｅｔｏｏｔｈ通信機能、無線ＬＡＮ機能などの通信機能を介して取得するものであってもよい。この場合、フェムトセル基地局装置２または３または４は、これらの通信を実行するための通信部（例えばＩｒ受信部またはＢｌｕｅｔｏｏｔｈ受信部または無線ＬＡＮ受信部）を具備し、この通信部が読取部に該当する。すなわち、読取部は移動局装置から無線信号を受信することによって移動局装置情報を読み取る。あるいは、フェムトセル基地局装置２または３または４が、ＵＳＢケーブル等の有線を介して移動局装置から移動局装置情報を取得するようにしてもよい。この場合、フェムトセル基地局装置２または３または４は、この有線による通信を実行するための通信部（例えばＵＳＢインタフェース）を具備し、この通信部が読取部に該当する。
なお、上記でフェムトセル基地局装置４について述べたように、フェムトセル基地局装置３と４とが対応する事業者数は２事業者に限られず、それ以上の事業者に対応するようにしてもよい。この場合、フェムトセル基地局装置３または４は事業者数に応じた数のＬＴＥフェムトセル通信部を含んで構成される。
【００７６】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００７７】
本発明は、ＵＩＭカードを内蔵する携帯電話機と通信を行うフェムトセル基地局装置など、通信端末装置自らの識別情報が記録されかつ着脱可能な記録媒体を内蔵する通信端末装置と通信を行う通信装置に用いて好適である。
【符号の説明】
【００７８】
１、２、３、４…フェムトセル基地局装置
１１、２１、４１…ＬＴＥフェムトセル通信部
３１１…第１ＬＴＥフェムトセル通信部
３１２…第２ＬＴＥフェムトセル通信部
１３、２３、３３、４３…カード読取部
１４、２４、３４、４４…移動局装置情報記憶部
１５、２５、３５、４５…操作入力部
１６、２６、３６、４６…表示部
１７、２７、３７、４７…制御部
１８…事業者識別情報記憶部
２８、３８、４８…登録事業者情報記憶部
２９、３９、４９…設定情報記憶部
【図１】
0005441130.tif 000002
【図２】
0005441130.tif 000003
【図３】
0005441130.tif 000004
【図４】
0005441130.tif 000005
【図５】
0005441130.tif 000006
【図６】
0005441130.tif 000007
【図７】
0005441130.tif 000008
【図８】
0005441130.tif 000009
【図９】
0005441130.tif 000010
【図１０】
0005441130.tif 000011
【図１１】
0005441130.tif 000012
【図１２】
0005441130.tif 000013
【図１３】
0005441130.tif 000014
【図１４】
0005441130.tif 000015
【図１５】
0005441130.tif 000016
【図１６】
0005441130.tif 000017
【図１７】
0005441130.tif 000018
【図１８】
0005441130.tif 000019
【図１９】
0005441130.tif 000020